(57)【特許請求の範囲】
【請求項１】
遊技場に設置されている遊技機での遊技に関わる遊技データを管理する遊技データ管理手段と、
遊技データの集計期間を設定する集計期間設定手段と、
前記遊技データ管理手段で管理している遊技データに基づき、遊技場に導入されてからの経過期間が同一であって前記集計期間設定手段により設定された集計期間における複数機種の遊技データを、当該複数機種間で比較可能に出力する出力手段と、
を有する管理装置であって、
各機種毎に、各機種の導入に関わる導入データを管理する導入データ管理手段と、
前記複数機種の中から、前記遊技データを他の機種と比較するターゲット機種の指定を受け付けるターゲット機種指定受付手段と、
該導入データ管理手段で管理している導入データが前記ターゲット機種指定受付手段により指定を受け付けたターゲット機種と同一及び／又は近似している機種を抽出する抽出手段と、をさらに有し、
前記出力手段は、同一の前記集計期間における遊技データを、前記ターゲット機種指定受付手段により指定を受け付けたターゲット機種と前記抽出手段により抽出された機種について比較可能に出力することを特徴とする管理装置。
【発明の詳細な説明】
【技術分野】
【０００１】
本発明は、遊技場に設置されている遊技機での遊技に関わる遊技データを管理し、該管理している遊技データに基づき、遊技場に導入されてからの経過期間が同一の期間における複数機種の遊技データを、当該複数の機種間で比較可能に出力する管理装置に関する。
【背景技術】
【０００２】
従来より、特許文献１に示すように、遊技場に設置されている各遊技機の遊技データを管理し、該遊技データを、各遊技機が遊技場に導入された日から所定期間経過した時点で機種毎に集計し、該集計した集計データのうち、各遊技機が遊技場に導入された日から同じ期間経過した時点の集計データを各機種間で比較可能に出力する管理装置が知られている。これによれば、集計データが、遊技機が遊技場に導入された日を揃えて所定期間を単位として各機種間で比較可能に出力されるので、あたかも新機種が同時に導入されたのと同じ条件で比較することができる。
【先行技術文献】
【特許文献】
【０００３】
【特許文献１】特開２００５−２２４４２４号公報（図７、請求項１）
【発明の概要】
【発明が解決しようとする課題】
【０００４】
しかしながら、遊技場に導入する機種によって、該導入に関わる状況（例えば導入台数や導入シーズン等）は様々であり、上記特許文献１に示す管理装置は、該導入に関わる状況を加味せずに、集計データを各機種間で比較可能に出力するため、該集計データを適切に比較することができないという問題があった。
【０００５】
本発明は、このような背景のもとになされたものであり、その目的は、遊技場に導入されてからの経過期間が同一の期間における複数機種の遊技データを当該複数の機種間で適切に比較することができるように出力する管理装置を提供することにある。
【課題を解決するための手段】
【０００６】
本発明は、前記課題を解決するために、次のような手段を採る。なお後述する発明を実施するための最良の形態の説明及び図面で使用した符号を参考のために括弧書きで付記するが、本発明の構成要素は該付記したものには限定されない。
【０００７】
まず手段１に係る発明は、遊技場に設置されている遊技機（パチンコ機１０）での遊技に関わる遊技データ（アウト玉数）を管理する遊技データ管理手段（遊技情報ＤＢ）と、遊技データの集計期間を設定する集計期間設定手段（ディスプレイ５３及び入力装置５４）と、前記遊技データ管理手段で管理している遊技データに基づき、遊技場に導入されてからの経過期間が同一であって前記集計期間設定手段により設定された集計期間における複数機種の遊技データ（複数機種の各導入日からの遊技データ）を、当該複数機種間で比較可能に出力する出力手段（ディスプレイ５３）と、を有する管理装置（ホールコンピュータ５０）であって、各機種毎に、各機種の導入に関わる導入データ（導入台数，スペック，メーカ，導入時期）を管理する導入データ管理手段（導入情報ＤＢ）と、前記複数機種の中から、前記遊技データを他の機種と比較するターゲット機種の指定を受け付けるターゲット機種指定受付手段と（ディスプレイ５３及び入力装置５４）、該導入データ管理手段で管理している導入データが前記ターゲット機種指定受付手段により指定を受け付けたターゲット機種と同一及び／又は近似している機種を抽出する抽出手段（制御部５２）と、をさらに有し、前記出力手段は、同一の前記集計期間における遊技データを、前記ターゲット機種指定受付手段により指定を受け付けたターゲット機種と前記抽出手段により抽出された機種について比較可能に出力することを特徴とする管理装置である。
これによれば、集計期間の設定を受け付け、ターゲット機種の指定を受け付けると、該ターゲット機種と導入に関わる導入データが同一及び／又は近似している他の機種が抽出され、遊技場に導入されてからの経過期間が同一の前記集計期間における、前記ターゲット機種と前記他の機種との遊技データが比較可能に出力されるので、該遊技データを適切に比較することができて、ターゲット機種の入替等の参考とすることができる。
【０００８】
また手段２に係る発明は、手段１に記載した管理装置（ホールコンピュータ５０）であって、前記導入データ管理手段（導入情報ＤＢ）は、前記導入データとして、各機種の導入台数を管理し、前記抽出手段（制御部５２）は、該導入データ管理手段で管理している導入台数が同一及び／又は近似している機種を抽出することを特徴とする管理装置である。
これによれば、各機種の導入台数が同一及び／又は近似している機種について、前記同一の期間における遊技データが比較可能に出力されるので、該遊技データを比較して、新たな遊技機を導入する際の導入台数の参考とすることができる。
【０００９】
また手段３に係る発明は、手段１又は２に記載した管理装置（ホールコンピュータ５０）であって、前記導入データ管理手段（導入情報ＤＢ）は、前記導入データとして、各機種の導入時期を管理し、前記抽出手段（制御部５２）は、該導入データ管理手段で管理している導入時期が同一である機種を抽出することを特徴とする管理装置である。
これによれば、各機種の導入時期が同一である機種について、前記同一の期間における遊技データが比較可能に出力されるので、該遊技データを比較して、新たな遊技機を導入する際の導入時期の参考とすることができる。
【００１０】
また手段４に係る発明は、手段１〜３のいずれか１つに記載した管理装置（ホールコンピュータ５０）であって、遊技場で開催されるイベントについて、該イベントが開催されるイベント期間を設定するイベント期間設定手段（ディスプレイ５３及び入力装置５４）と、前記同一の期間における遊技データ（導入日からの遊技データ）からイベント期間中における遊技データを除外するイベントを設定する除外イベント設定手段（ディスプレイ５３及び入力装置５４）と、をさらに有し、前記出力手段（ディスプレイ５３）は、該除外イベント設定手段により設定されたイベントのイベント期間中における遊技データを除外して、前記同一の期間における遊技データを出力することを特徴とする管理装置である。
これによれば、除外イベントのイベント期間中における遊技データを除外して、前記同一の期間における遊技データが比較可能に出力されるので、イベントの影響を受けていない遊技データに基づいて、より適切な比較を行うことができる。
【００１１】
また手段５に係る発明は、手段１〜４のいずれか１つに記載した管理装置（ホールコンピュータ５０）であって、各機種毎に、遊技場に現在設置されている現在設置機種であるか、あるいは過去に設置されていた過去設置機種であるかを管理する設置状況管理手段（導入情報ＤＢ）と、前記抽出手段（制御部５２）による抽出対象を、前記現在設置機種のみとするか、あるいは前記現在設置機種及び前記過去設置機種とするかを設定する抽出対象設定手段（ディスプレイ５３及び入力装置５４）と、をさらに有し、前記抽出手段は、該抽出対象設定手段により設定された抽出対象から前記抽出を行うことを特徴とする管理装置である。
これによれば、前記同一の期間における遊技データを出力する機種として、現在設置機種のみを抽出対象とするか、あるいは現在設置機種及び過去設置機種を抽出対象とするかを設定することができるので、遊技場側の意向に添った比較を行うことができる。
【００１２】
また手段６に係る発明は、手段５に記載した管理装置（ホールコンピュータ５０）であって、前記設置状況管理手段（導入情報ＤＢ）は、前記過去設置機種が設置されていた設置期間（導入日及び撤去日）を管理し、前記抽出対象設定手段（ディスプレイ５３及び入力装置５４）は、抽出対象とする過去設置機種の設置期間を設定し、前記抽出手段（制御部５２）は、該抽出対象設定手段により設定された設置期間に設置されていた過去設置機種から前記抽出を行うことを特徴とする管理装置である。
これによれば、抽出対象とする過去設置機種の設置期間を設定することができるので、より遊技場側の意向に添った比較を行うことができる。
【００１３】
さらに手段７に係る発明は、手段１〜６のいずれか１つに記載した管理装置（ホールコンピュータ５０）であって、各機種について、遊技場に導入されてから所定期間毎の遊技データを集計する遊技データ集計手段（制御部５２）と、遊技場に導入されてから最初の所定期間における遊技データに対する、当該最初の所定期間以外の所定期間における遊技データの比率を算出する遊技データ比率算出手段（制御部５２）と、をさらに有し、前記出力手段（ディスプレイ５３）は、該遊技データ比率算出手段により算出された比率が遊技データの低下を示す機種について、当該比率を比較可能に出力することを特徴とする管理装置である。
これによれば、最初の所定期間における遊技データに対する、当該最初の所定期間以外の所定期間における遊技データの比率が、該遊技データの低下を示す機種について、当該比率が比較可能に出力されるので、遊技機の入替等の参考とすることができる。
【図面の簡単な説明】
【００１４】
【図１】図１は本発明に係る管理装置であるホールコンピュータを含む遊技用システムの一例を表す機能ブロック図である。
【図２】図２（ａ）はパチンコ機及びカードユニットの一例を表す正面図であり、図２（ｂ）は同カードユニットの断面右側面図である。
【図３】図３はホールコンピュータのディスプレイに表示される導入情報設定画面の一例を表す図である。
【図４】図４はホールコンピュータのハードディスクで記憶している導入情報ＤＢの記憶内容の一例を表す図である。
【図５】図５はホールコンピュータのディスプレイに表示される貸与単価設定変更画面の一例を表す図である。
【図６】図６はホールコンピュータのハードディスクで記憶している貸与単価ＤＢの記憶内容の一例を表す図である。
【図７】図７はホールコンピュータのディスプレイに表示されるイベント情報設定画面の一例を表す図である。
【図８】図８はホールコンピュータのハードディスクで記憶しているイベント情報ＤＢの記憶内容の一例を表す図である。
【図９】図９はホールコンピュータのハードディスクで記憶している遊技情報ＤＢの記憶内容の一例を表す図である。
【図１０】図１０はホールコンピュータのディスプレイで表示される導入後遊技データ表示条件設定画面の一例を表す図である。
【図１１】図１１はホールコンピュータのディスプレイで表示される導入後遊技データの一例を表す図である。
【図１２】図１２はホールコンピュータのディスプレイで表示される減少率グラフの一例を表す図である。
【図１３】図１３はホールコンピュータのディスプレイで表示される貸与単価変更後遊技データ表示条件設定画面の一例を表す図である。
【図１４】図１４はホールコンピュータのディスプレイで表示される貸与単価変更後遊技データの一例を表す図である。
【図１５】図１５は導入後遊技データ及び単価変更後遊技データに基づいて遊技場が行う処置の一例を表すフローチャートである。
【発明を実施するための形態】
【００１５】
［１．本発明の実施形態］
以下、本発明の実施の形態を、図面を参照して説明する。本発明に係る管理装置（ホールコンピュータ５０）は、後述する図９に示すように、遊技場に設置されている遊技機（パチンコ機１０）での遊技に関わる遊技データ（アウト玉数）を管理するものである。
【００１６】
そして管理装置は、後述する図１１に示すように、前記管理している遊技データに基づき、遊技場に導入されてからの経過期間が同一の期間における複数機種の遊技データ（ここでは複数機種の各導入日からの遊技データ）を、当該複数の機種間で比較可能に出力するものであり、特に該同一の期間における遊技データを、各機種の導入に関わる導入データ（図４を参照）が同一及び／又は近似している機種について比較可能に出力する、導入後遊技データ表示処理を行うことを特徴とするものである。
【００１７】
また管理装置は、後述する図５に示すように、遊技機での遊技に使用される遊技媒体（パチンコ玉）の貸与単価を各遊技機について設定変更可能であり、後述する図１４に示すように、該貸与単価が変更されたことに基づいて、該変更が行われた変更対象遊技機の貸与単価変更前の変更前遊技データ及び貸与単価変更後の変更後遊技データと、少なくとも前記変更対象遊技機と同一の貸与単価が設定されている他の遊技機の遊技データを平均した平均遊技データとを比較可能に出力する、貸与単価変更後遊技データ表示処理を行うことを特徴とするものである。
【００１８】
この管理装置であるホールコンピュータ５０を含む遊技用システム１では、図１に示すように、遊技場内において、複数のパチンコ機１０及び各パチンコ機１０に対応して設けられるカードユニット２０が、所定数（例えば４台）のパチンコ機１０及びカードユニット２０に対応して設けられる台端末装置３０を介して、ホールコンピュータ５０と通信可能とされており、また各カードユニット２０が、台端末装置３０を介して、残額管理装置４０と通信可能とされている。
【００１９】
この遊技用システム１では、遊技者に対して発行されたプリペイドカード２が使用される。このプリペイドカード２は、長方形状を呈するプラスチック製の薄板における所定の部位に、不揮発性のＥＥＰＲＯＭからなる記録領域を備える非接触式のＩＣチップが設けられている記録媒体（ＩＣカード）であり、当該プリペイドカード２を個々に識別可能な記録媒体識別情報であるカードＩＤが、ＩＣチップに記録されている。
【００２０】
また遊技用システム１に含まれる残額管理装置４０は、遊技場内の所定箇所（例えば管理事務所等）に設けられるコンピュータであり、記憶手段であるハードディスク（図示外）で残額ＤＢを記憶している。この残額ＤＢは、プリペイドカード２のカードＩＤに対応付けて、パチンコ玉の貸与に使用されるプリペイド残額を管理するものである。
【００２１】
以下、遊技用システム１の各構成要素について説明するが、以下においては、遊技機がパチンコ機１０であり、遊技媒体がパチンコ玉である例について説明し、またリーダ／ライタを「Ｒ／Ｗ」，データベースを「ＤＢ」，ステップを「Ｓ」と略記する。
【００２２】
まず、パチンコ機１０について説明する。パチンコ機１０は遊技機の一例であって、遊技媒体であるパチンコ玉を遊技領域に打ち込むことにより遊技を行うものであり、ここでは対応するカードユニット２０との間でパチンコ玉の貸与に関する信号のやり取りが行われて玉貸処理が行われる、いわゆるＣＲ式のパチンコ機である。このパチンコ機１０は、遊技機ＩＤによって個々に識別可能とされている。このパチンコ機１０が遊技場に導入されると、該パチンコ機１０が属する機種や貸与単価等に従って、遊技場内の遊技島に配置される。この遊技島における配置箇所は、台番号によって個々に識別可能とされている。
【００２３】
ここでのパチンコ機１０には、パチンコ玉の貸与単価が異なる２種類が含まれ、パチンコ玉１個あたりの貸与単価が１円である仕様のパチンコ機１０及びカードユニット２０を「１円貸し機」と称し、パチンコ玉１個あたりの貸与単価が４円である仕様のパチンコ機１０及びカードユニット２０を「４円貸し機」と称する。またパチンコ機１０には、大当りの発生確率と該大当りにより払い出されるパチンコ玉の数である大当り出玉数とが異なる２種類が含まれ、比較的大当りが発生しやすいが大当り出玉数が比較的少ない仕様のパチンコ機１０を「甘デジ機」と称し、比較的大当りが発生しにくいが大当り出玉数が多い仕様のパチンコ機１０を「爆裂機」と称する。
【００２４】
このパチンコ機１０は、図２（ａ）に示すように、その前面に遊技領域，上皿，下皿，及び発射ハンドル等を備えると共に、残度数表示器１４，玉貸ボタン１５，及びカード返却ボタン１６を備え、図１に示すように、その内部に遊技制御基板１１，払出制御基板１２，及び玉払出装置１３等を備え、その背後にアウト玉タンク（図示外）に付設されたアウト玉計数機１７を備えており、これらの各構成要素は図１に示すように接続されている。
【００２５】
遊技制御基板１１は、パチンコ機１０における遊技状態を制御するものである。払出制御基板１２は、カードユニット２０の後述する玉貸通信部２１ａと通信可能に接続され、パチンコ機１０とカードユニット２０との間における通信を司るものである。これにより、玉貸処理が行われる場合に、パチンコ機１０とカードユニット２０との間でパチンコ玉の貸与に関する信号のやり取りが行われる。また払出制御基板１２は、玉払出装置１３と接続され、該玉払出装置１３を制御するものである。さらに払出制御基板１２は、残度数表示器１４，玉貸ボタン１５，及びカード返却ボタン１６とも接続されている。玉払出装置１３は、玉貸処理が行われて遊技者に貸し出されたパチンコ玉や、遊技の結果として遊技者に付与されるパチンコ玉（いわゆる賞球）を払い出すものである。
【００２６】
残度数表示器１４は、カードユニット２０のカードＲ／Ｗ２３にて受け付けているプリペイドカード２のカードＩＤに対応付けて残額管理装置４０で管理されているプリペイド残額に相当する残度数を表示するための表示器である。ここで残度数は、プリペイド残額が所定の比率で変換されたもの（例えば１００円＝１度数）である。この残度数表示器１４では、玉貸通信部２１ａから残度数を示す度数表示信号が入力されることにより、残度数が表示される。
【００２７】
玉貸ボタン１５は、前記プリペイド残額を使用して玉貸処理を行うための玉貸操作を受け付けるボタンである。この玉貸ボタン１５が操作されたことにより、玉貸通信部２１ａに貸出入力信号が入力され、該入力の検出によってカードユニット２０の制御部２２が、玉貸ボタン１５が操作された旨を認識する。
【００２８】
カード返却ボタン１６は、カードユニット２０のカードＲ／Ｗ２３にて受け付けているプリペイドカード２を該カードユニット２０の外部に排出するための排出操作を受け付けるものである。このカード返却ボタン１６が操作されたことにより、玉貸通信部２１ａに返却入力信号が入力され、該入力の検出によってカードユニット２０の制御部２２が、カード返却ボタン１６が操作された旨を認識して、カードＲ／Ｗ２３にて受け付けているカードの排出制御が行われ、該カードがカード挿入口２３ａから排出されて遊技者に返却される。
【００２９】
このパチンコ機１０において、玉払出装置１３から払い出されたパチンコ玉は、上皿に供給され、発射ハンドルの操作により遊技領域の内部に打ち込まれて、遊技が行われる。ここで遊技領域に打ち込まれたパチンコ玉（以下、「打込玉」と称する。）が、遊技領域に形成された入賞口に入賞すると、払出制御基板１２から発せられる払出信号に基づいて、賞球として玉払出装置１３からパチンコ玉が払い出されて付与され、上皿又は下皿に供給される。そして遊技制御基板１１から、賞球が１０個付与される毎に１パルスのセーフ玉信号が出力される。また打込玉が始動入賞口に入賞すると、特別図柄可変表示装置において特別図柄の可変表示が開始され、該可変表示が終了すると、遊技制御基板１１から、１パルスのスタート信号が出力され、可変表示後における特別図柄が所定の態様になると、大当りが発生する。また入賞口に入賞した打込玉及びいずれの入賞口にも入賞しなかった打込玉は、パチンコ機１０の背後に設けられたアウト玉タンク（図示外）に導かれ、該アウト玉タンクに付設されたアウト玉計数機１７で計数されて、遊技島内に設けられるパチンコ玉回収樋（図示外）に排出される。そしてアウト玉計数機１７から、打込玉が１０個計数される毎に１パルスのアウト玉信号が出力される。
【００３０】
これらアウト玉信号，セーフ玉信号，及びスタート信号は、パチンコ機１０の稼動中において出力される遊技データであり、台端末装置３０に入力される。そして該アウト玉信号，セーフ玉信号，及びスタート信号が入力された台端末装置３０では、アウト玉信号から特定されるアウト玉数，セーフ玉信号から特定されるセーフ玉数，及びスタート信号から特定されるスタート回数が集計され、該集計されたアウト玉数，セーフ玉数，及びスタート回数が、台番号と共に、所定のタイミングでホールコンピュータ５０に入力される。そして該アウト玉数，セーフ玉数，及びスタート回数と台番号とが入力されたホールコンピュータ５０では、後述する図９に示すように、当日の日付及び入力された台番号に対応付けて、入力されたアウト玉数，セーフ玉数（図示外），及びスタート回数（図示外）が累積加算されて管理される。
【００３１】
次に、カードユニット２０について説明する。カードユニット２０は、図１及び図２（ａ）に示すように、パチンコ機１０に対応して（ここではパチンコ機１０の左側に隣接して）設けられ、プリペイドカード２の挿入に基づいて玉貸処理を行い、プリペイドカード２が挿入されている状態における紙幣の挿入に基づいて入金処理を行うものである。
【００３２】
このカードユニット２０は、縦長の箱型の形状を呈するものであり、図２（ａ）に示すように、その前面に紙幣挿入口２４ａ，及びカード挿入口２３ａ等を備え、図２（ｂ）に示すように、その内部に紙幣識別機２４，制御部２２，玉貸通信部２１ａ，台端末装置通信部２１ｂ，及びカードＲ／Ｗ２３等を備えており、これらの各構成要素は図１に示すように接続されている。
【００３３】
玉貸通信部２１ａは、パチンコ機１０の払出制御基板１２と通信可能に接続されており、台端末装置通信部２１ｂは、台端末装置３０と通信可能に接続されている。
【００３４】
制御部２２は、ＣＰＵ，ＲＡＭ，ＲＯＭ，ＥＥＰＲＯＭ等を備えており、ＲＯＭ（あるいはＥＥＰＲＯＭ）に記憶されている処理プログラムがＲＡＭを作業領域としてＣＰＵで実行されることにより、カードユニット２０に備えられる各構成要素の動作を制御して、後述するように、玉貸処理や入金処理を行うものである。なおＥＥＰＲＯＭは、当該カードユニット２０が１円貸し機であるか４円貸し機であるかを記憶している。
【００３５】
カードＲ／Ｗ２３は、カード挿入口２３ａから挿入されたプリペイドカード２を受け付けて、該プリペイドカード２のＩＣチップに記録されているカードＩＤを読み取るものである。このカードＲ／Ｗ２３は、前記ＩＣカードであるプリペイドカード２のＩＣチップに対応したＩＣチップリーダである。
【００３６】
紙幣識別機２４は、カードＲ／Ｗ２３でプリペイドカード２の挿入を受け付けている状態で、紙幣挿入口２４ａから挿入され搬送されてきた紙幣（１０００円紙幣，２０００円紙幣，５０００円紙幣，又は１００００円紙幣）を受け付けて、該受け付けた紙幣の金種を識別する識別機である。この識別により、受け付けた紙幣が正規の紙幣であれば、識別結果（識別された紙幣に応じた入金金額）を制御部２２に出力する。そして識別が完了した正規の紙幣は、紙幣通路２４ｂを通じてカードユニット２０の背面から外部に排出され、遊技島に設けられた紙幣搬送機構（図示外）により搬送されて、金庫（図示外）に回収される。なお正規の紙幣ではないと識別した場合，及びカードＲ／Ｗ２３でプリペイドカード２の挿入を受け付けていない場合には、受け付けた紙幣を紙幣挿入口２４ａから返却する。
【００３７】
このカードユニット２０において、制御部２２は、プリペイドカード２の挿入に基づいて、玉貸処理を行う。具体的には、制御部２２は、カードＲ／Ｗ２３が該プリペイドカード２から読み取ったカードＩＤを残額管理装置４０に対して送信し、該カードＩＤに対応付けて管理されているプリペイド残額を残額管理装置４０から受信すると、該プリペイド残額をＲＡＭで記憶して、残度数表示器１４で残度数を表示する処理を行う。
【００３８】
この状態で玉貸ボタン１５が操作されて貸出入力信号が入力されると、制御部２２は、ＲＡＭで記憶しているプリペイド残額と予め設定された玉貸設定金額（例えば１円貸し機であれば２００円，４円貸し機であれば５００円）とを比較して、プリペイド残額≧玉貸設定金額であれば、該玉貸設定金額を使用金額として特定し、プリペイド残額＜玉貸設定金額であれば、該プリペイド残額を使用金額として特定して、該特定した使用金額に相当する度数のパチンコ玉の払出を払出制御基板１２に対して指示する処理を、プリペイド残額を使用した玉貸処理として行って、ＲＡＭで記憶しているプリペイド残額から使用金額を減算更新すると共に残度数表示器１４で表示している残度数を減算表示する処理を行う。
【００３９】
この玉貸処理が行われると、台端末装置通信部２１ｂから、カードＩＤと使用金額とを含む使用金額信号が出力されて、台端末装置３０を介して、残額管理装置４０に入力される。そして該残額管理装置４０では、該使用金額信号に含まれるカードＩＤに対応付けて記憶しているプリペイド残額から、該使用金額信号に含まれる使用金額が減算更新される。また台端末装置３０では、使用金額信号から特定される使用金額が売上金額として集計され、該集計された売上金額が、台番号と共に、所定のタイミングでホールコンピュータ５０に入力される。そして該売上金額と台番号とが入力されたホールコンピュータ５０では、後述する図９に示すように、当日の日付及び入力された台番号に対応付けて、入力された売上金額（図示外）が累積加算されて管理される。
【００４０】
またカードユニット２０において、制御部２２は、またプリペイドカード２が挿入されている状態における紙幣の挿入に基づいて、入金処理を行う、具体的には、制御部２２は、カードＲ／Ｗ２３が該プリペイドカード２から読み取ったカードＩＤと紙幣識別機２４により識別された紙幣に応じた入金金額とを含む入金金額情報を残額管理装置４０に対して送信し、該カードＩＤに対応付けて管理されているプリペイド残額に対して該入金金額が加算更新された後のプリペイド残額を残額管理装置４０から受信すると、該プリペイド残額をＲＡＭで記憶して、残度数表示器１４で表示している残度数を更新する処理を、入金処理として行う。
【００４１】
次に、ホールコンピュータ５０について説明する。ホールコンピュータ５０は前記管理装置の一例であって、遊技場内の所定箇所（例えば管理事務所等）に設けられ、遊技場のオペレータにより操作されるものであり、図１に示すように接続される通信部５１，制御部５２，ディスプレイ５３，入力装置５４，及びハードディスク５５を備えるコンピュータである。
【００４２】
通信部５１は、台端末装置３０と通信可能に接続され、前述の如く、該台端末装置３０から、アウト玉数，セーフ玉数，スタート回数，及び売上金額を、台番号と共に受信する。制御部５２は、ＣＰＵ，ＲＡＭ，ＲＯＭ，ＥＥＰＲＯＭ等を備えており、ＲＯＭ，ＥＥＰＲＯＭ，あるいはハードディスク５５に記憶されている処理プログラムがＲＡＭを作業領域としてＣＰＵで実行されることにより、ホールコンピュータ５０に備えられる各構成要素の動作を制御して各種の処理を行うものである。ディスプレイ５３は各種の情報を表示する表示デバイスであって、例えば液晶ディスプレイである。入力装置５４は各種の情報の入力を受け付ける入力デバイスであって、例えばキーボードやマウスである。ハードディスク５５は各種の情報を記憶する記憶デバイスであり、図示しない台番号ＤＢ，図４に示す導入情報ＤＢ，図６に示す貸与単価ＤＢ，図８に示すイベント情報ＤＢ，及び図９に示す遊技情報ＤＢ等を記憶している。
【００４３】
このホールコンピュータ５０では、ハードディスク５５で記憶している各ＤＢの記憶内容に基づいて、図１１に示す導入後遊技データをディスプレイ５３で表示する前記導入後遊技データ表示処理と、図１４に示す貸与単価変更後遊技データをディスプレイ５３で表示する前記貸与単価変更後遊技データ表示処理とが行われる。以下、図３〜図１４を参照して、ホールコンピュータ５０の各構成要素について、その機能と作用を説明する。
【００４４】
まず図３は、ホールコンピュータ５０のディスプレイ５３に表示される導入情報設定画面の一例を表す図である。この導入情報設定画面は、遊技場におけるパチンコ機１０の導入又は撤去に伴って、ホールコンピュータ５０において導入情報設定プログラムが実行されることにより表示される画面である。具体的には、まずＤ１０で、導入情報又は撤去情報のいずれを設定するかを選択するラジオボタンが表示される。
【００４５】
このＤ１０で、オペレータが、導入情報のラジオボタンを選択して、入力装置５４の実行ボタンを操作すると、Ｄ１１で、導入するパチンコ機１０の遊技機ＩＤの入力欄と、該パチンコ機１０が配置される台番号の入力欄と、該パチンコ機１０の機種の入力欄と、該機種の導入日の入力欄と、該機種の導入台数の入力欄と、該機種の導入時期を選択するプルダウンメニューと、該機種のスペックを選択するプルダウンメニューと、該機種のメーカの入力欄とが表示される。ここで導入日は、パチンコ機１０が遊技場に導入されて遊技島に配置され、実際に稼動を開始する日である。また導入時期のプルダウンメニューでは、年末年始，ゴールデンウィーク，又はお盆が表示され、導入日が例えば１２月２５日〜１月７日であれば年末年始を選択し、例えば４月２９日〜５月６日であればゴールデンウィークを選択し、例えば８月１０日〜８月１７日であればお盆を選択する一方、それら以外の日であれば選択しない。またスペックのプルダウンメニューでは、甘デジ機，又は爆裂機が表示され、導入されるパチンコ機１０の仕様に応じていずれかを選択する。このＤ１１で、オペレータが、各項目に入力及び選択して、入力装置５４の実行ボタンを操作すると、図４に示す導入情報ＤＢにおいて、該入力及び選択した機種，導入日，導入台数，導入時期，スペック，及びメーカが対応付けて記憶されると共に、該機種が遊技場に現在設置されている現在設置機種として管理される。また図示しない台番号ＤＢにおいて、前記入力した遊技機ＩＤ，台番号，及び機種が対応付けて記憶される。なおパチンコ機１０の配置替えが行われると、台番号ＤＢにおいて、該パチンコ機１０の遊技機ＩＤ，及び機種に対応付けて記憶されている台番号が、配置替え後の台番号に更新される。
【００４６】
またＤ１０で、オペレータが、撤去情報のラジオボタンを選択して、入力装置５４の実行ボタンを操作すると、Ｄ１２で、撤去する機種を選択するプルダウンメニューと、該機種の撤去日の入力欄とが表示される。ここで該機種のプルダウンメニューでは、図４に示す導入情報ＤＢで現在設置機種であると管理されている各機種が表示され、該表示される各機種の中から撤去する機種を選択する。また撤去日は、稼動を終了する日である。このＤ１２で、オペレータが、各項目に入力及び選択して、入力装置５４の実行ボタンを操作すると、図４に示す導入情報ＤＢにおいて、該選択した機種に対応付けて該入力した撤去日が記憶されると共に、該機種が過去に設置されていた過去設置機種として管理される。
【００４７】
次に図４は、ホールコンピュータ５０のハードディスク５５で記憶している導入情報ＤＢの記憶内容の一例を表す図である。この導入情報ＤＢでは、各機種について、導入日，導入台数，導入時期，スペック，メーカ，設置状況（現在設置機種であるか過去設置機種であるか），及び撤去日が記憶されている。この導入情報ＤＢの記憶内容は、図３に示す導入情報設定画面における設定内容に基づいて更新される。
【００４８】
この導入情報ＤＢは、各機種の導入に関わる導入データを管理する導入データ管理手段として機能するものであり、ここでは該導入データとして、各機種の導入台数，導入時期，スペック，及びメーカを管理する。また導入情報ＤＢは、各遊技機毎（ここでは各機種毎）に、遊技機に関わる遊技機データを管理する遊技機データ管理手段の一部として機能するものであり、ここでは該遊技機データとして、各機種のスペック，及びメーカを管理する。
【００４９】
また導入情報ＤＢは、各遊技機毎（ここでは各機種毎）に、遊技場に現在設置されている現在設置遊技機（ここでは現在設置機種）であるか、あるいは過去に設置されていた過去設置遊技機（ここでは過去設置機種）であるかを管理する設置状況管理手段として機能するものであり、ここでは設置状況の記憶欄において、「現在」と記憶することにより現在設置機種であると管理し、「過去」と記憶することにより過去設置機種であると管理する。さらに該設置状況管理手段として機能する導入情報ＤＢは、過去設置遊技機（ここでは過去設置機種）が設置されていた設置期間を管理するものであり、ここでは該設置期間として、撤去日を管理する。
【００５０】
次に図５は、ホールコンピュータ５０のディスプレイ５３に表示される貸与単価設定変更画面の一例を表す図である。この貸与単価設定変更画面は、各パチンコ機１０（ここでは各機種）について貸与単価を設定又は変更する際に、ホールコンピュータ５０において貸与単価設定変更プログラムが実行されることにより表示される画面である。具体的には、まずＤ２０で、貸与単価設定又は貸与単価変更のいずれを行うかを選択するラジオボタンが表示される。
【００５１】
このＤ２０で、オペレータが、貸与単価設定のラジオボタンを選択して、入力装置５４の実行ボタンを操作すると、Ｄ２１で、貸与単価を設定する機種を選択するプルダウンメニューが表示される。ここで該機種のプルダウンメニューでは、図４に示す導入情報ＤＢで管理されている（即ち導入されている）が図６に示す貸与単価ＤＢでは管理されていない（即ち貸与単価が設定されていない）各機種が表示され、該表示される各機種の中から貸与単価を設定する機種を選択する。このＤ２１で、オペレータが、機種を選択して、入力装置５４の実行ボタンを操作すると、Ｄ２２で、貸与単価として４円又は１円のいずれを設定するかを選択するラジオボタンと、導入日と、導入台数とが表示される。ここで導入日及び導入台数としては、Ｄ２１で選択した機種について図４に示す導入情報ＤＢで管理されている導入日及び導入台数が表示される。このＤ２２で、オペレータが、４円又は１円のいずれかのラジオボタンを選択して、入力装置５４の実行ボタンを操作すると、図６に示す貸与単価ＤＢにおいて、Ｄ２１で選択した機種について、現在貸与単価の記憶欄で、Ｄ２２で選択した貸与単価が記憶され、現在台数の記憶欄で、Ｄ２２で表示された導入台数が記憶されると共に、初期設定の記憶欄で、Ｄ２２で選択した貸与単価と、Ｄ２２で表示された導入日とが記憶される。
【００５２】
またＤ２０で、オペレータが、貸与単価変更のラジオボタンを選択して、入力装置５４の実行ボタンを操作すると、Ｄ２３で、貸与単価を変更する機種を選択するプルダウンメニューが表示される。ここで該機種のプルダウンメニューでは、図６に示す貸与単価ＤＢでは管理されている（即ち貸与単価が設定されている）各機種が表示され、該表示される各機種の中から貸与単価を変更する機種を選択する。このＤ２３で、オペレータが、機種を選択して、入力装置５４の実行ボタンを操作すると、Ｄ２４で、現在貸与単価と、変更後貸与単価と、貸与単価を変更する変更日の入力欄と、現在台数と、変更後台数の入力欄とが表示される。ここで現在貸与単価及び現在台数は、Ｄ２３で選択した機種について図６に示す貸与単価ＤＢで管理されている現在貸与単価及び現在台数であり、変更後貸与単価は、該現在貸与単価ではない貸与単価（即ち現在貸与単価が４円であれば変更後貸与単価は１円，現在貸与単価が１円であれば変更後貸与単価は４円）であり、変更日は、実際に貸与単価が変更される日であり、変更後台数は、貸与単価の変更に伴ってパチンコ機１０を増加又は減少した後の台数である。このＤ２３で、オペレータが、各項目に入力して、入力装置５４の実行ボタンを操作すると、図６に示す貸与単価ＤＢにおいて、Ｄ２３で選択した機種について、現在貸与単価の記憶欄で、Ｄ２４で表示された変更後貸与単価が記憶され、現在台数の記憶欄で、Ｄ２４で入力した変更後台数が記憶されると共に、変更の記憶欄（１回目の変更が行われていなければ該１回目変更の記憶欄，１回目の変更が既に行われていれば２回目変更の記憶欄）で、Ｄ２４で表示された変更後貸与単価と、Ｄ２４で入力した変更日とが記憶される。
【００５３】
このＤ２３及びＤ２４を表示するディスプレイ５３及び該Ｄ２３及びＤ２４で入力及び選択を受け付ける入力装置５４は、遊技機での遊技に使用される遊技媒体の貸与単価を各遊技機（ここでは各機種）について設定変更する貸与単価設定変更手段として機能するのものである。
【００５４】
次に図６は、ホールコンピュータ５０のハードディスク５５で記憶している貸与単価ＤＢの記憶内容の一例を表す図である。この貸与単価ＤＢでは、各機種について、現在貸与単価及び現在台数と、貸与単価の初期設定における該貸与単価及び設定日と、貸与単価の１回目の変更における該貸与単価及び変更日と、貸与単価の２回目の変更における該貸与単価及び変更日とが記憶されている。この貸与単価ＤＢの記憶内容は、前述の如く、図５に示す貸与単価設定変更画面における設定内容に基づいて更新される。
【００５５】
この貸与単価ＤＢは、各遊技機毎（ここでは各機種毎）に、遊技機に関わる遊技機データを管理する遊技機データ管理手段の一部として機能するものであり、ここでは該遊技機データとして、各機種の現在台数を管理する。また貸与単価ＤＢは、各遊技機（ここでは各機種）の貸与単価変更の履歴を管理する変更履歴管理手段として機能するものであり、ここでは初期設定の記憶欄で、初期設定された貸与単価を記憶すると共に、貸与単価の変更が行われる毎に、変更の記憶欄（１回目変更の記憶欄，２回目変更の記憶欄）で、該変更後の貸与単価を順次記憶することにより、貸与単価変更の履歴を管理する。これにより、例えば機種Ｓににおける貸与単価変更の履歴は、１回目変更で４円から１円に変更されたと特定され、また機種Ｅにおける貸与単価変更の履歴は、１回目変更で４円から１円に変更され、２回目変更で１円から４円に変更されたと特定される。
【００５６】
次に図７は、ホールコンピュータ５０のディスプレイ５３に表示されるイベント情報設定画面の一例を表す図である。このイベント情報設定画面は、遊技場で開催されるイベントについてイベント情報を設定する際に、ホールコンピュータ５０においてイベント情報設定プログラムが実行されることにより表示される画面である。具体的には、Ｄ３０で、遊技場で開催されるイベントを個々に識別可能なイベントＩＤの入力欄と、該イベントのイベント名と、該イベントが開催されるイベント期間の入力欄とが表示される。このＤ３０で、オペレータが、各項目に入力して、入力装置５４の実行ボタンを操作すると、図８に示すイベント情報ＤＢにおいて、該入力したイベントＩＤ，イベント名，及びイベント期間が、対応付けて記憶される。このＤ３０を表示するディスプレイ５３及び該Ｄ３０で入力を受け付ける入力装置５４は、遊技場で開催されるイベントについて、該イベントが開催されるイベント期間を設定するイベント期間設定手段として機能するものである。
【００５７】
次に図８は、ホールコンピュータ５０のハードディスク５５で記憶しているイベント情報ＤＢの記憶内容の一例を表す図である。このイベント情報ＤＢでは、イベントＩＤ及びイベント名に対応付けて、イベント期間が記憶されている。このイベント情報ＤＢの記憶内容は、前述の如く、図７に示すイベント情報設定画面における設定内容に基づいて更新される。
【００５８】
次に図９は、ホールコンピュータ５０のハードディスク５５で記憶している遊技情報ＤＢの記憶内容の一例を表す図である。この遊技情報ＤＢでは、図示しない台番号ＤＢで記憶されている各パチンコ機１０毎のデータテーブルが設けられており、各データテーブルでは、当該パチンコ機１０の遊技機ＩＤ及び機種が記憶されると共に、当該パチンコ機１０の導入日から撤去日（過去設置機種）又は現在（現在設置機種）までの各日付と、当該パチンコ機１０が各日付において配置されている台番号とに対応付けて、遊技データが記憶され、ここでは該遊技データとして、図示したアウト玉数と、図示しないセーフ玉数，スタート回数，及び売上金額とが記憶される。この遊技情報ＤＢの記憶内容は、前述の如く、台端末装置３０から送信されてくるアウト玉数，セーフ玉数，スタート回数，及び売上金額に基づいて更新される。なおアウト玉数は、実数の百分の一の値（端数は切り捨て）で記憶される。この遊技情報ＤＢは、遊技場に設置されている遊技機での遊技に関わる遊技データを管理する遊技データ管理手段として機能するものであり、ここでは各遊技機について各日付毎の遊技データを記憶する。
【００５９】
次に図１０は、ホールコンピュータ５０のディスプレイ５３で表示される導入後遊技データ表示条件設定画面の一例を表す図である。この導入後遊技データ表示条件設定画面は、ホールコンピュータ５０において導入後遊技データ表示プログラムが実行されて前記導入後遊技データ表示処理が行われる際に表示される画面である。具体的には、まずＤ４０で、導入後遊技データを他の機種と比較するターゲット機種を指定するか否かを選択するラジオボタンと、ターゲット機種を選択するプルダウンメニューとが表示される。該プルダウンメニューでは、図４に示す導入情報ＤＢで管理されている各機種が表示され、該表示される各機種の中からターゲット機種を選択する。
【００６０】
このＤ４０で、オペレータが、ターゲット機種を指定する旨、即ち指定有りのラジオボタンを選択し、かつプルダウンメニューからターゲット機種を選択して、入力装置５４の実行ボタンを操作すると、Ｄ４１に示すように、領域Ａで、遊技データを集計する所定期間（１週間に相当する７日間，約１ヶ月に相当する３０日間，又は指定日数の期間）を選択するラジオボタンが表示され、領域Ｂで、ターゲット機種と導入データが同一及び／又は近似している機種を抽出するための抽出条件を設定するチェックボックスが表示され、領域Ｃで、抽出対象（現在設置機種及び／又は過去設置機種）を選択するラジオボタンが表示され、領域Ｄで、後述する図１１で出力する遊技データからイベント期間中における遊技データを除外するイベントである除外イベントを設定するチェックボックスが表示される。
【００６１】
Ｄ４１の領域Ａでは、遊技データを集計する所定期間として、７日間，３０日間，又は指定日数の期間のうち、いずれか１つを選択する。この所定期間として、指定日数の期間を選択した場合には、該指定日数を入力する。
【００６２】
Ｄ４１の領域Ｂでは、抽出条件として、ターゲット機種と導入台数が同一及び／又は近似していること，ターゲット機種と導入時期が同一であること，ターゲット機種とスペックが同一であること，又はターゲット機種とメーカが同一であることのうち、１以上の条件を選択可能であり、ここでは少なくとも１以上の条件を選択する。この抽出条件として、導入台数が同一及び／又は近似していることを選択した場合には、プラスマイナス□台の入力欄に所望の台数を入力する。ここで台数として０台が入力されると、ターゲット機種と導入台数が同一であることが抽出条件として設定されたことになり、また１台以上が入力されると、ターゲット機種の導入台数プラスマイナス該入力された台数の範囲であること（即ち近似していること）が抽出条件として設定されたことになる。
【００６３】
Ｄ４１の領域Ｃでは、抽出対象として、現在設置機種のみ，現在設置機種と過去設置機種，又は過去設置機種のみのうち、いずれか１つを選択する。この抽出対象として、現在設置機種と過去設置機種，又は過去設置機種を選択した場合には、過去設置機種のすべてを抽出対象とするか，又は現在から所定年数前まで設置されていた過去設置機種（即ち図４に示す導入情報ＤＢで管理している撤去日が所定年数前までの過去設置機種）を抽出対象とするかを選択し、後者を選択した場合には、該所定年数を入力する。
【００６４】
このＤ４１の領域Ｃを表示するディスプレイ５３及び該領域Ｃで抽出対象の選択を受け付ける入力装置５４は、抽出対象を、現在設置機種（現在設置遊技機）のみとするか、あるいは現在設置機種及び過去設置機種（過去設置遊技機）とするかを設定する抽出対象設定手段として機能するものであり、ここでは抽出対象を過去設置機種のみとする旨も設定可能である。これによれば、遊技データを出力する機種として、現在設置機種のみを抽出対象とするか、現在設置機種及び過去設置機種を抽出対象とするか、あるいは過去設置機種のみと抽出対象とするかを設定することができるので、遊技場側の意向に添った比較を行うことができる。
【００６５】
また該抽出対象設定手段として機能するディスプレイ５３及び入力装置５４は、抽出対象とする過去設置機種（過去設置遊技機）の設置期間を設定するものであり、ここでは該設置期間として、全期間（即ち過去設置機種のすべて）又は現在から所定年数前までを設定する。これによれば、抽出対象とする過去設置機種の設置期間を設定することができるので、より遊技場側の意向に添った比較を行うことができる。
【００６６】
Ｄ４１の領域Ｄでは、図８に示すイベント情報ＤＢで記憶している各イベントのイベント名が一覧表示され、除外イベントして、１以上のイベントを選択可能であるが、該イベントを１以上選択しても良いし、１つも選択しなくても良い。このＤ４１の領域Ｄを表示するディスプレイ５３及び該領域Ｄで除外イベントの選択を受け付ける入力装置５４は、後述する図１１で出力する遊技データからイベント期間中における遊技データを除外するイベントを設定する除外イベント設定手段として機能するものである。
【００６７】
このＤ４１で、オペレータが、図示の如く各項目を入力及び選択して、入力装置５４の実行ボタンを操作すると、制御部５２が抽出手段，遊技データ集計手段，及び遊技データ比率算出手段として機能し、ディスプレイ５３が出力手段として機能することにより、図１１（ａ）のケース１に示す導入後遊技データが該ディスプレイ５３で表示される。
【００６８】
具体的には、Ｄ４１の領域Ｂで、抽出条件として、Ｄ４０で指定されたターゲット機種Ｕの導入台数１６台±５台と設定されており、かつＤ４１の領域Ｃで、抽出対象として、現在設置機種のみと設定されているので、図４に示す導入情報ＤＢから、該抽出条件及び抽出対象を満たす表示条件合致機種として、導入台数が１２台であり現在設置機種である機種Ｅと、導入台数が１６台であり現在設置機種である機種Ｑとを抽出する。
【００６９】
次にＤ４１の領域Ａで、遊技データ集計期間として７日間と設定されているので、導入後１日目（即ち導入日）から７日目までの第１期間，導入後８日目から１４日目までの第２期間，及び導入後１５日目から２１日目までの第３期間の各期間毎に（即ち導入日から７日間毎に）、ターゲット機種Ｕについて、図９に示す遊技情報ＤＢで該ターゲット機種Ｕに属する各パチンコ機１０について記憶している遊技データのうちのアウト玉数から、各期間における各パチンコ機１０のアウト玉数を抽出し、該抽出した各期間におけるアウト玉数の合算値を当該機種Ｕの台数と当該７日間で除算することにより、各パチンコ機１０の各期間のアウト玉数を平均した期間中平均アウト玉数を集計する。なおＤ４１の領域Ｄで、除外イベントは設定されていないので、該期間中平均アウト玉数の集計にあたり、遊技データを除外する必要は無い。
【００７０】
また該集計した各期間における期間中平均アウト玉数に基づいて、第２期間の期間中平均アウト玉数÷第１期間の期間中平均アウト玉数×１００の式で、第２期間における減少率を算出し、第３期間の期間中平均アウト玉数÷第１期間の期間中平均アウト玉数×１００の式で、第３期間における減少率を算出する。さらに前記集計した各期間における期間中平均アウト玉数に基づいて、第１期間の期間中平均アウト玉数を、第１期間までの全期間平均アウト玉数とし、（第１期間の期間中平均アウト玉数＋第２期間の期間中平均アウト玉数）÷２の式で、第２期間までの全期間平均アウト玉数を算出し、（第１期間の期間中平均アウト玉数＋第２期間の期間中平均アウト玉数）÷２の式で、第２期間までの全期間平均アウト玉数を算出し、（第１期間の期間中平均アウト玉数＋第２期間の期間中平均アウト玉数＋第３期間の期間中平均アウト玉数）÷３の式で、第３期間までの全期間平均アウト玉数を算出する。
【００７１】
同様にして、表示条件合致機種Ｅと、表示条件合致機種Ｑとについても、各期間毎に期間中平均アウト玉数を集計し、各期間における減少率を算出し、各期間までの全期間平均アウト玉数を算出する。そして図１１（ａ）に示すように、導入後遊技データとして、前記集計及び算出された各期間毎の期間中平均アウト玉数，減少率，及び全期間平均アウト玉数を、ターゲット機種Ｕと、表示条件合致機種Ｅと、表示条件合致機種Ｑとの間で、比較可能に出力する。
【００７２】
ここで制御部５２は、導入情報ＤＢで管理している導入データが同一及び／又は近似している機種を抽出する抽出手段として機能するものであり、抽出条件として導入台数が同一及び／又は近似していることと設定されている場合には、導入情報ＤＢで管理している導入台数が同一及び／又は近似している機種を抽出し、抽出条件として導入時期が同一であることと設定されている場合には、導入情報ＤＢで管理している導入時期が同一である機種を抽出し、抽出条件としてスペックが同一であることと設定されている場合には、導入情報ＤＢで管理しているスペックが同一である機種を抽出し、抽出条件としてメーカが同一であることと設定されている場合には、導入情報ＤＢで管理しているメーカが同一である機種を抽出する。
【００７３】
また抽出手段として機能する制御部５２は、抽出対象設定手段（ディスプレイ５３及び入力装置５４）により設定された抽出対象（現在設置機種のみ，現在設置機種及び過去設置機種，又は過去設置機種のみ）から前記抽出を行うものである。
【００７４】
また制御部５２は、各機種について、遊技場に導入されてから所定期間毎（遊技データ集計期間毎）の遊技データを集計する遊技データ集計手段として機能するものであり、ここでは該遊技データとして、期間中平均アウト玉数を集計する。また制御部５２は、遊技場に導入されてから最初の所定期間（第１期間）における遊技データに対する、当該最初の所定期間以外の所定期間（第２期間，第３期間）における遊技データの比率（減少率）を算出する遊技データ比率算出手段として機能するものである。
【００７５】
また図１１に示す導入後遊技データを表示するディスプレイ５３は、遊技情報ＤＢで管理している遊技データ（アウト玉数）に基づき、遊技場に導入されてからの経過期間が同一の期間における複数機種の遊技データを、当該複数の機種間で比較可能に出力する出力手段として機能するものであり、ここでは遊技場に導入されてからの経過期間が０日で同一である遊技データ（即ち導入日からの遊技データ）を、各機種間で比較可能に出力する。これによれば、各機種の遊技データを、あたかも各機種が同時に導入されたようにして比較することができる。
【００７６】
そして該出力手段として機能するディスプレイ５３は、前記同一の期間における遊技データを、抽出手段により抽出された機種について比較可能に出力することを特徴とするものである。これによれば、各機種の導入に関わる導入データが同一及び／又は近似している機種について、遊技場に導入されてからの経過期間が同一の期間における遊技データが比較可能に出力されるので、該遊技データを適切に比較することができる。ここで本発明により、（１）導入データとして導入台数が同一及び／又は近似している機種について遊技データが比較可能に出力された場合，及び（２）導入データとして導入時期が同一である機種について遊技データが比較可能に出力された場合について、該遊技データを適切に比較することができる理由を、従来の技術と対比しつつ説明する。
【００７７】
まず（１）の如く導入台数を指標とする場合について、遊技場が決定する該導入台数には、各機種の稼動の良否に対する遊技場の期待度が一般に表れ、高稼動を期待する遊技機の導入台数は多く、それほど稼動が高くなるとは期待していない遊技機の導入台数は少なくなる。ここで従来の技術だと、導入台数の多少に拘わらず、各機種の遊技データが比較可能に出力されるので、該遊技データが同程度である（例えば５割の稼動を示す）場合には、各機種の稼動が概ね良好であると判断される。しかしながら、導入台数が多い機種は、元々高稼動を期待して導入しており、しかも実際に稼動が高い（例えば７〜８割を示す）ことが多いため、当該稼動が５割を示す場合には、稼動が非常に悪いと判断されるべきである。一方、導入台数が少ない機種は、元々高稼動は期待せずに導入しており、実際に稼動が低い（例えば２〜３割を示す）ことが多いため、当該機種の稼動が５割を示す場合には、稼動が非常に良いと判断されるべきである。つまり従来の技術では、各機種の遊技データが導入台数の多少に拘わらず出力されるので、各機種の稼動の良し悪しを適切に比較して判断することができない。これに対し、本発明では、導入台数が同一及び／又は近似している機種について遊技データが比較可能に出力されるので、稼動の良否に対する期待度が同程度である各機種の稼動の良し悪しを適切に比較して判断することができる。上記の例で言えば、ある機種について、導入台数が多いのに５割の稼動であれば、他の比較対象の機種は７〜８割の稼動であるので、稼動が悪いと評価することができ、また、ある機種について、導入台数が少ないのに５割の稼動であれば、他の比較対象の機種は２〜３割の稼動であるので、稼動がよいと評価することができる。
【００７８】
また（２）の如く導入時期を指標とする場合について、遊技場の稼働率は時期により大きく異なり、導入時期が前述した年末年始，ゴールデンウィーク，又はお盆のように休日が多い時期であれば、普段は遊技場に来ない客の来場や、多額の遊興費を持っている客の来場が見込めることから、元々稼動が高く、それ以外の休日が少ない時期であれば、元々稼動がそれほど高くはない。ここで従来の技術だと、導入時期に拘わらず、各機種の遊技データが比較可能に出力されるので、該遊技データが同程度である（例えば５割の稼動を示す）場合には、各機種の稼動が概ね良好であると判断される。しかしながら、休日が多い時期に導入された機種は、時期的要因により元々稼動が高い（例えば７〜８割を示す）ことが多いため、当該稼動が５割を示す場合には、稼動が悪く、遊技場における稼動の向上に寄与していないと判断されるべきである。一方、休日が少ない時期に導入された機種の稼動が５割を示す場合には、時期的要因により元々稼動が低い（例えば２〜３割を示す）ことが多いため、稼動が良く、遊技場における稼動の向上に寄与していると判断されるべきである。つまり従来の技術では、各機種の遊技データが導入時期に拘わらず出力されるので、各機種の稼動の良し悪しを適切に比較して、遊技場における稼動の向上に寄与しているか否かを適切に判断することができない。これに対し、本発明では、導入時期が同一である機種について遊技データが比較可能に出力されるので、稼動の向上に対する期待度が同程度である各機種の稼動の良し悪しを適切に比較して、遊技場における稼動の向上に寄与しているか否かを適切に判断することができる。上記の例で言えば、ある機種について、休日が多い時期に導入されたのに５割の稼動であれば、他の比較対象の機種は７〜８割の稼動であるので、稼動が悪く、遊技場における稼動の向上に寄与していないと評価することができ、また、ある機種について、休日が少ない時期に導入されたのに５割の稼動であれば、他の比較対象の機種は２〜３割の稼動であるので、稼動が良く、遊技場における稼動の向上に寄与していなると評価することができる。
【００７９】
以上に説明した理由により、本発明によれば、各機種の導入に関わる導入データが同一及び／又は近似している機種について、遊技データが比較可能に出力されるので、該遊技データを適切に比較することができる。従って導入データは、各機種の稼動に関係のあるデータが好ましく、このために本発明では、図４に示すように、導入台数や導入時期等を導入データとして管理しているのである。
【００８０】
そして本発明によれば、出力される各機種の遊技データを比較して、遊技データが悪い機種の入替（撤去）又は貸与単価の変更（４円から１円への変更）や、遊技データが良い機種の増台又は貸与単価の変更（１円から４円への変更）等の参考とすることができる。特にターゲット機種を指定した場合には、当該ターゲット機種の遊技データと他の機種の遊技データとを比較して、ターゲット機種の遊技データが悪ければ、該ターゲット機種の入替又は貸与単価の変更等の参考とすることができ、ターゲット機種の遊技データが良ければ、該ターゲット機種の増台又は貸与単価の変更等の参考とすることができる。なお貸与単価の変更については、図１５を参照して詳述する。
【００８１】
また前記出力手段から、各機種の導入台数が同一及び／又は近似している機種について、前記同一の期間における遊技データが比較可能に出力された場合には、該遊技データを比較して、新たな遊技機を導入する際の導入台数の参考とすることができる。具体的には、導入台数が同一及び／又は近似しており、一方のスペックが甘デジ機であり他方のスペックが爆裂機である２つの機種について、遊技データが比較可能に出力された場合には、例えば甘デジ機の遊技データが良く爆裂機の遊技データが悪ければ、爆裂機の導入台数が適切でなかった（多すぎた又は少なすぎた）と判断できるので、新たに爆裂機を導入する際の導入台数の参考とすることができる。また導入台数が同一及び／又は近似しており、一方の貸与単価が１円であり他方の貸与単価が４円である２つの機種について、遊技データが比較可能に出力された場合には、例えば貸与単価が１円である機種の遊技データが良く貸与単価が４円である機種の遊技データが悪ければ、貸与単価が４円である機種の導入台数が適切でなかった（多すぎた又は少なすぎた）と判断できるので、新たに貸与単価が４円である機種を導入する際の導入台数の参考とすることができる。
【００８２】
また前記出力手段から、各機種の導入時期が同一である機種について、前記同一の期間における遊技データが比較可能に出力された場合には、該遊技データを比較して、新たな遊技機を導入する際の導入時期の参考とすることができる。具体的には、導入時期が同一であり、一方のスペックが甘デジ機であり他方のスペックが爆裂機である２つの機種について、遊技データが比較可能に出力された場合には、例えば甘デジ機の遊技データが良く爆裂機の遊技データが悪ければ、爆裂機の導入時期が適切でなかったと判断できるので、新たに爆裂機を導入する際の導入時期の参考とすることができる。また導入時期が同一であり、一方の貸与単価が１円であり他方の貸与単価が４円である２つの機種について、遊技データが比較可能に出力された場合には、例えば１円貸し機の遊技データが良く４円貸し機の遊技データが悪ければ、４円貸し機の導入時期が適切でなかったと判断できるので、新たに４円貸し機を導入する際の導入時期の参考とすることができる。
【００８３】
さらに前記出力手段として機能するディスプレイ５３は、遊技データ比率算出手段により算出された比率が遊技データ（期間中平均アウト玉数）の低下を示す機種について、当該比率（各期間の減少率）を比較可能に出力するものである。これによれば、最初の所定期間（第１期間）における遊技データに対する、当該最初の所定期間以外の所定期間（第２期間，第３期間）における遊技データの比率が、該遊技データの低下を示す機種について、当該比率が比較可能に出力されるので、遊技機の入替等の参考とすることができる。具体的には、遊技データの低下が緩やかである機種については入替をせずに継続して様子見をし、遊技データの低下が急である機種については入替をする等の処置を行うことができる。なお該出力手段は、図１１に示すような表形式ではなく、図１２に示すような折れ線グラフ形式で、各期間の減少率を比較可能に出力することも可能である。
【００８４】
図１０に戻り、Ｄ４０で、オペレータが、ターゲット機種を指定するしない旨、即ち指定無しのラジオボタンを選択して、入力装置５４の実行ボタンを操作すると、Ｄ４２に示すように、領域Ａで、前記遊技データ集計期間を選択するラジオボタンが表示され、領域Ｂ’で、導入データが同一及び／又は近似している機種を抽出するための抽出条件を設定するチェックボックスが表示され、領域Ｃで、前記抽出対象を選択するラジオボタンが表示され、領域Ｄで、前記除外イベントを設定するチェックボックスが表示される。ここで領域Ａ，Ｃ，Ｄの表示及び機能は、Ｄ４１で説明したのと同様である。
【００８５】
Ｄ４１の領域Ｂ’では、抽出条件として、導入台数が同一及び／又は近似していること，導入時期が同一であること，スペックが同一であること，又はメーカが同一であることのうち、１以上の条件を選択可能であり、ここでは少なくとも１以上の条件を選択する。この抽出条件として、導入台数が同一及び／又は近似していることを選択した場合には、導入台数の入力欄に所望の台数を入力すると共に、プラスマイナス□台の入力欄に所望の台数を入力する。ここで台数として０台が入力されると、導入台数が同一であることが抽出条件として設定されたことになり、また１台以上が入力されると、導入台数プラスマイナス該入力された台数の範囲であること（即ち近似していること）が抽出条件として設定されたことになる。
【００８６】
このＤ４２で、オペレータが、図示の如く各項目を入力及び選択して、入力装置５４の実行ボタンを操作すると、制御部５２が前記抽出手段，遊技データ集計手段，及び遊技データ比率算出手段として機能し、ディスプレイ５３が前記出力手段として機能することにより、図１１（ｂ）のケース２に示す導入後遊技データが該ディスプレイ５３で表示される。
【００８７】
具体的には、Ｄ４２の領域Ｂ’で、抽出条件として、導入時期が年末年始と設定されており、かつＤ４２の領域Ｃで、抽出対象として、現在設置機種＋現在（例えば２００７年１１月３０日）から１年前まで設置されていた過去設置機種と設定されているので、図４に示す導入情報ＤＢから、該抽出条件及び抽出対象を満たす表示条件合致機種として、導入時期が年末年始であり現在設置機種又は現在から１年前まで設置されていた過去設置機種である機種Ａ，Ｂ，Ｃを抽出する。ここで前記抽出手段として機能する制御部５２は、抽出対象設定手段により設定された設置期間に設置されていた過去設置機種から前記抽出を行うものである。
【００８８】
次にＤ４２の領域Ａで、遊技データ集計期間として３０日間と設定されているので、導入後１日目（即ち導入日）から３０日目までの第１期間，導入後３１日目から６０日目までの第２期間，及び導入後６１日目から９０日目までの第３期間の各期間毎に（即ち導入日から３０日間毎に）、まず機種Ａについて、図９に示す遊技情報ＤＢで該機種Ａに属する各パチンコ機１０について記憶している遊技データのうちのアウト玉数から、各期間における各パチンコ機１０のアウト玉数を抽出し、該抽出した各期間におけるアウト玉数の合算値を当該機種Ａの台数と当該３０日間で除算することにより、各パチンコ機１０の各期間のアウト玉数を平均した期間中平均アウト玉数を集計する。なおＤ４２の領域Ｄで、除外イベントとして新年祭が設定されているので、図８に示すイベント情報ＤＢで管理されている該新年祭のイベント期間中（即ち２００７年１月１日〜１月７日）のアウト玉数は除外して、期間中平均アウト玉数を集計する。
【００８９】
また図１１（ａ）で説明したのと同様にして、機種Ａについて、該集計した各期間における期間中平均アウト玉数に基づいて、各期間における減少率を算出し、各期間までの全期間平均アウト玉数を算出する。同様にして、機種Ｂ，Ｃについても、各期間毎に期間中平均アウト玉数を集計し、各期間における減少率を算出し、各期間までの全期間平均アウト玉数を算出する。そして図１１（ｂ）に示すように、導入後遊技データとして、前記集計及び算出された各期間毎の期間中平均アウト玉数，減少率，及び全期間平均アウト玉数を、表示条件合致機種Ａ，Ｂ，Ｃの間で、比較可能に出力する。
【００９０】
ここで前記出力手段として機能するディスプレイ５３は、除外イベント設定手段により設定されたイベントのイベント期間中における遊技データを除外して、遊技データを出力するものである。これによれば、除外イベントのイベント期間中における遊技データを除外して、遊技データが比較可能に出力されるので、イベントの影響を受けていない遊技データに基づいて、より適切な比較を行うことができる。
【００９１】
次に図１３は、ホールコンピュータ５０のディスプレイ５３で表示される貸与単価変更後遊技データ表示条件設定画面の一例を表す図である。この貸与単価変更後遊技データ表示条件設定画面は、ホールコンピュータ５０において貸与単価変更後遊技データ表示プログラムが実行されて前記貸与単価変更後遊技データ表示処理が行われる際に表示される画面である。具体的には、まずＤ５０で、変更後遊技データを他の機種と比較する変更対象遊技機を選択するプルダウンメニューが表示される。該プルダウンメニューでは、図６に示す導入情報ＤＢで貸与単価変更の履歴が管理されている（即ち少なくとも１回目の貸与単価変更が行われている）各機種が表示され、該表示される各機種の中から変更対象機種を選択する。
【００９２】
このＤ５０で、オペレータが、プルダウンメニューから変更対象機種を選択して、入力装置５４の実行ボタンを操作すると、Ｄ５１に示すように、領域Ａで、遊技データを集計する所定期間（１週間に相当する７日間，約１ヶ月に相当する３０日間，又は指定日数の期間）を選択するラジオボタンが表示され、領域Ｂで、変更対象機種と遊技機データが同一及び／又は近似している機種を抽出するための抽出条件を設定するチェックボックスが表示され、領域Ｃで、抽出対象（現在設置機種及び／又は過去設置機種）を選択するラジオボタンが表示され、領域Ｄで、後述する図１４で出力する遊技データからイベント期間中における遊技データを除外するイベントである除外イベントを設定するチェックボックスが表示される。ここで領域Ａ，Ｃ，Ｄの表示及び機能は、Ｄ４１で説明したのと同様である。
【００９３】
Ｄ５１の領域Ｂでは、抽出条件として、変更対象機種と現在台数が同一及び／又は近似していること，変更対象機種とスペックが同一であること，又は変更対象機種とメーカが同一であることのうち、１以上の条件を選択可能であるが、該抽出条件を１以上選択しても良いし、１つも選択しなくても良い。この抽出条件として、現在台数が同一及び／又は近似していることを選択した場合には、プラスマイナス□台の入力欄に所望の台数を入力する。ここで台数として０台が入力されると、変更対象機種と現在台数が同一であることが抽出条件として設定されたことになり、また１台以上が入力されると、変更対象機種の現在台数プラスマイナス該入力された台数の範囲であること（即ち近似していること）が抽出条件として設定されたことになる。
【００９４】
Ｄ５１の領域Ｄを表示するディスプレイ５３及び該領域Ｄで除外イベントの選択を受け付ける入力装置５４は、後述する図１４で出力する遊技データ（変更前遊技データ，変更後遊技データ，平均遊技データ）からイベント期間中における遊技データを除外するイベントを設定する除外イベント設定手段として機能するものである。
【００９５】
このＤ５１で、オペレータが、図示の如く各項目を入力及び選択して、入力装置５４の実行ボタンを操作すると、制御部５２が抽出手段として機能し、ディスプレイ５３が出力手段として機能することにより、図１４（ａ）のケース１に示す貸与単価変更後遊技データが該ディスプレイ５３で表示される。
【００９６】
具体的には、図６に示す貸与単価ＤＢにおいて、変更対象機種Ｓについては、貸与単価の変更が１回行われて、現在貸与単価として１円が設定されており、Ｄ５１の領域Ｂで、抽出条件として、変更対象機種Ｓの現在台数１０台±５台と設定されており、かつＤ５１の領域Ｃで、抽出対象として、現在設置機種＋現在（例えば２００７年１１月３０日）から１年前まで設置されていた過去設置機種と設定されているので、図６に示す貸与単価ＤＢから、現在貸与単価が同一であり、かつ該抽出条件及び抽出対象を満たす他の機種として、現在貸与単価が１円であり現在台数が８台であり現在から１年前まで設置されていた過去設置機種である機種Ｐと、現在貸与単価が１円であり現在台数が８台であり現在設置機種である機種Ｔとを抽出する。
【００９７】
次にＤ５１の領域Ａで、遊技データ集計期間として７日間と設定されているので、変更対象機種Ｓについて、図９に示す遊技情報ＤＢで該変更対象機種Ｓに属する各パチンコ機１０について記憶している遊技データのうちのアウト玉数から、貸与単価の変更日（２００７年１１月１日）よりも前の７日間（即ち１０月２５日〜３１日）における各パチンコ機１０のアウト玉数を抽出し、該抽出したアウト玉数の合算値を当該機種Ｓの台数と当該７日間で除算することにより、貸与単価変更前７日間分の平均アウト玉数である変更前遊技データを集計すると共に、貸与単価の変更日よりも後の７日間（即ち１１月１日〜７日）における各パチンコ機１０のアウト玉数を抽出し、該抽出したアウト玉数の合算値を当該機種Ｓの台数と当該７日間で除算することにより、貸与単価変更後７日間分の平均アウト玉数である変更後遊技データを集計する。
【００９８】
また他の機種Ｐについて、図９に示す遊技情報ＤＢで該他の機種Ｐに属する各パチンコ機１０について記憶している遊技データのうちのアウト玉数から、貸与単価が１円になった日（２００７年１０月１日）よりも後の７日間（即ち１０月１日〜７日）における各パチンコ機１０のアウト玉数を抽出すると共に、他の機種Ｔについて、図９に示す遊技情報ＤＢで該他の機種Ｔに属する各パチンコ機１０について記憶している遊技データのうちのアウト玉数から、貸与単価が１円になった日（２００７年１０月１５日）よりも後の７日間（即ち１０月１５日〜２１日）における各パチンコ機１０のアウト玉数を抽出し、該抽出した機種Ｐ及びＴのアウト玉数の合算値を当該機種Ｐ及びＴの台数と当該７日間で除算することにより、１円の貸与単価設定後７日間分の平均アウト玉数である平均遊技データを集計する。
【００９９】
なおＤ５１の領域Ｄで、除外イベントは設定されていないので、これら変更前遊技データ，変更後遊技データ，及び平均遊技データの集計にあたり、遊技データを除外する必要は無い。
【０１００】
そして図１４（ａ）に示すように、貸与単価変更後遊技データとして、変更対象機種Ｓについて１回目の貸与単価の変更が行われた変更日及び貸与単価変更の履歴（ここでは４円から１円への変更）を出力すると共に、該変更対象機種Ｓについて前記集計された変更前遊技データ及び変更後遊技データと、他の機種Ｐ及びＴについて前記集計された平均遊技データとを、比較可能に出力する。
【０１０１】
ここで制御部５２は、変更対象遊技機（ここでは変更対象機種）と同一の貸与単価が設定されており、かつ該変更対象遊技機と遊技機データが同一及び／又は近似している遊技機（ここでは機種）を抽出する抽出手段として機能するものであり、抽出条件として現在台数が同一及び／又は近似していることと設定されている場合には、貸与単価ＤＢで管理している現在台数が同一及び／又は近似している機種を抽出し、抽出条件としてスペックが同一であることと設定されている場合には、導入情報ＤＢで管理しているスペックが同一である機種を抽出し、抽出条件としてメーカが同一であることと設定されている場合には、導入情報ＤＢで管理しているメーカが同一である機種を抽出する。
【０１０２】
また抽出手段として機能する制御部５２は、抽出対象設定手段（ディスプレイ５３及び入力装置５４）により設定された抽出対象（現在設置機種のみ，現在設置機種及び過去設置機種，又は過去設置機種のみ）から前記抽出を行うものであり、ここでは抽出対象設定手段により設定された設置期間に設置されていた過去設置遊技機から前記抽出を行う。
【０１０３】
また図１４に示す貸与単価変更後遊技データを表示するディスプレイ５３は、貸与単価設定変更手段により貸与単価が変更されたことに基づいて、該変更が行われた変更対象遊技機（ここでは変更対象機種）の貸与単価変更前の変更前遊技データ及び貸与単価変更後の変更後遊技データと、少なくとも変更対象遊技機と同一の貸与単価が設定されている他の遊技機（ここでは他の機種）の遊技データを平均した平均遊技データとを比較可能に出力する出力手段として機能するものである。これによれば、貸与単価の変更が行われた変更対象機種の貸与単価変更前の変更前遊技データと貸与単価変更後の変更後遊技データとが比較可能に出力されるので、貸与単価の変更による変更対象機種の遊技データの変化を把握することができると共に、変更対象機種と同一の貸与単価が設定されている他の機種の遊技データを平均した平均遊技データも比較可能に出力されるので、変更対象機種の変更後遊技データの良し悪しを他の機種との比較で把握することができる。そして後述する図１５で説明するように、この貸与単価変更後遊技データは、パチンコ機１０の撤去や貸与単価の変更等の処置を行うのに活用することができる。
【０１０４】
また該出力手段として機能するディスプレイ５３は、変更対象機種の貸与単価変更からの経過期間と他の機種の貸与単価が該変更対象機種と同一の貸与単価になってからの経過期間とが同一の期間における変更後遊技データと平均遊技データとを比較可能に出力するものであり、ここでは両者の経過期間が０日で同一である変更後遊技データと平均遊技データ（即ち変更対象機種について貸与単価の変更日からの変更後遊技データと、他の機種について当該貸与単価になった日からの平均遊技データ）を比較可能に出力する。これによれば、変更対象遊技機の変更後遊技データと他の遊技機の平均遊技データとを、あたかも貸与単価が同時に同一になったようにして比較することができるので、適切な比較を行うことができる。
【０１０５】
また該出力手段として機能するディスプレイ５３は、抽出手段により抽出された機種の遊技データを平均した前記平均遊技データを出力するものである。これによれば、変更対象機種と遊技機データが同一及び／又は近似している機種の遊技データを平均した平均遊技データが出力されるので、より適切に変更対象機種の変更後遊技データの良し悪しを把握することができる。
【０１０６】
さらに該出力手段として機能するディスプレイ５３は、変更履歴管理手段（貸与単価ＤＢ）で管理している変更対象機種の貸与単価変更の履歴と共に、変更前遊技データ，変更後遊技データ，及び平均遊技データを出力するものである。これによれば、変更対象機種の取り扱い方を適切に検討することができるが、その具体的な内容については、図１５を参照して後述する。
【０１０７】
図１３に戻り、Ｄ５０で変更対象機種Ｅが選択され、Ｄ５１と同様のＤ５１’で、オペレータが、図示の如く各項目を入力及び選択して、入力装置５４の実行ボタンを操作すると、制御部５２が前記抽出手段として機能し、ディスプレイ５３が前記出力手段として機能することにより、図１４（ｂ）のケース２に示す貸与単価変更後遊技データが該ディスプレイ５３で表示される。
【０１０８】
具体的には、図６に示す貸与単価ＤＢにおいて、変更対象機種Ｅについては、貸与単価の変更が２回行われて、現在貸与単価として４円が設定されており、Ｄ５１の領域Ｂで、抽出条件として、変更対象機種Ｅとスペック（ここでは爆裂機）が同一であることと設定されており、かつＤ５１の領域Ｃで、抽出対象として、現在設置機種のみと設定されているので、図６に示す貸与単価ＤＢから、現在貸与単価が同一であり、かつ該抽出条件及び抽出対象を満たす他の機種として、現在貸与単価が４円でありスペックが爆裂機であり現在設置機種である機種Ｂ及びＤを抽出する。
【０１０９】
次にＤ５１の領域Ａで、遊技データ集計期間として３０日間と設定されているので、変更対象機種Ｅについて、図９に示す遊技情報ＤＢで該変更対象機種Ｅに属する各パチンコ機１０について記憶している遊技データのうちのアウト玉数から、２回目の貸与単価の変更日（２００７年８月１日）よりも前の３０日間（即ち８月２日〜３１日）における各パチンコ機１０のアウト玉数を抽出し、該抽出したアウト玉数の合算値を当該機種Ｅの台数と当該３０日間で除算することにより、貸与単価変更前３０日間分の平均アウト玉数である変更前遊技データを集計すると共に、貸与単価の変更日よりも後の３０日間（即ち８月１日〜３０日）における各パチンコ機１０のアウト玉数を抽出し、該抽出したアウト玉数の合算値を当該機種Ｅの台数と当該３０日間で除算することにより、貸与単価変更後３０日間分の平均アウト玉数である変更後遊技データを集計する。
【０１１０】
また他の機種Ｂについて、図９に示す遊技情報ＤＢで該他の機種Ｂに属する各パチンコ機１０について記憶している遊技データのうちのアウト玉数から、貸与単価が４円になった日（２００６年１２月２３日）よりも後の３０日間（即ち２００６年１２月２３日〜２００７年１月２１日）における各パチンコ機１０のアウト玉数を抽出すると共に、他の機種Ｄについて、図９に示す遊技情報ＤＢで該他の機種Ｄに属する各パチンコ機１０について記憶している遊技データのうちのアウト玉数から、貸与単価が４円になった日（２００７年３月１日）よりも後の３０日間（即ち３月１日〜３０日）における各パチンコ機１０のアウト玉数を抽出し、該抽出した機種Ｂ及びＤのアウト玉数の合算値を当該機種Ｂ及びＤの台数と当該３０日間で除算することにより、４円の貸与単価設定後３０日間分の平均アウト玉数である平均遊技データを集計する。
【０１１１】
なおＤ５１’の領域Ｄで、除外イベントとして新年祭が設定されているので、図８に示すイベント情報ＤＢで管理されている該新年祭のイベント期間中（即ち２００７年１月１日〜１月７日）のアウト玉数は除外して、平均遊技データを集計する。
【０１１２】
そして図１４（ｂ）に示すように、貸与単価変更後遊技データとして、変更対象機種Ｅについて１回目の貸与単価の変更が行われた変更日及び貸与単価変更の履歴（ここでは４円から１円への変更）と２回目の貸与単価の変更が行われた変更日及び貸与単価変更の履歴（ここでは１円から４円への変更）とを出力すると共に、該変更対象機種Ｅについて前記集計された変更前遊技データ及び変更後遊技データと、他の機種Ｂ及びＤについて前記集計された平均遊技データとを、比較可能に出力する。
【０１１３】
ここで前記出力手段として機能するディスプレイ５３は、除外イベント設定手段により設定されたイベントのイベント期間中における遊技データを除外して、遊技データを出力するものである。これによれば、除外イベントのイベント期間中における遊技データを除外して、変更前遊技データ，変更後遊技データ，及び平均遊技データが比較可能に出力されるので、イベントの影響を受けていない遊技データに基づいて、より適切な比較を行うことができる。
【０１１４】
次に図１５は、導入後遊技データ及び単価変更後遊技データに基づいて遊技場が行う処置の一例を表すフローチャートである。遊技場においては、各遊技機の稼動が同じであれば貸与単価が高い方が売上が上がるので、可能な限り各遊技機について高い貸与単価（本例では４円）を設定する一方、該高い貸与単価の遊技機の稼働が低下した場合には、低い貸与単価（本例では１円）を設定すると稼働が向上する傾向にあるので、各遊技機の稼動に応じて貸与単価の設定を行っている。本実施形態では、前述した導入後遊技データ（図１１）及び単価変更後遊技データ（図１４）に基づいて、図１５に示すような処置を遊技場が行うことができる。
【０１１５】
まず図１５（ａ）に示すように、導入時に貸与単価が１円と設定された機種については、所定期間（例えば１ヶ月）経過後に、当該機種をターゲット機種とした導入後遊技データを検討し（Ｓ１０１）、該ターゲット機種の稼動（即ち期間中平均アウト玉数）が表示条件合致機種の稼動よりも良いか否かを判断する（Ｓ１０２）。このＳ１０２でターゲット機種の稼動が表示条件合致機種よりも悪い（ＮＯ）と判断した場合には、該ターゲット機種を撤去して（Ｓ１０３）、処置を終了する。一方、Ｓ１０２でターゲット機種の稼動が表示条件合致機種よりも良い（ＹＥＳ）と判断した場合には、売上の向上を狙って貸与単価を４円に変更する（Ｓ１０４）。
【０１１６】
貸与単価を４円に変更して、所定期間（例えば１ヶ月）経過後に、当該機種を変更対象機種とした貸与単価変更後遊技データを検討し（Ｓ１１１）、該変更対象機種の稼動（即ち変更後遊技データ）が他機種の稼動（即ち平均遊技データ）よりも良いか否かを判断する（Ｓ１１２）。このＳ１１２で変更対象機種の稼動が他機種の稼動よりも良い（ＹＥＳ）と判断した場合には、該変更対象機種を増台するか又はそのままの台数とするかを検討して（Ｓ１１３）、Ｓ１１１に戻る。一方、Ｓ１１２で変更対象機種の稼動が他機種の稼動よりも悪い（ＮＯ）と判断した場合には、稼動の向上を狙って貸与単価を１円に変更するか否かを判断する（Ｓ１１４）。このＳ１１４で貸与単価を１円に変更しない（ＮＯ）と判断した場合には、該変更対象機種を撤去して（Ｓ１１５）、処置を終了する。
【０１１７】
一方、Ｓ１１４で貸与単価を１円に変更する（ＹＥＳ）と判断し、貸与単価を再度１円に変更した場合にも、Ｓ１１１に戻るが、さらに所定期間（例えば１ヶ月）経過後に該Ｓ１１１の検討を行い、Ｓ１１２でＹＥＳである場合には、当該変更対象機種については、貸与単価として４円よりも１円の方が適している（即ち１円ならば稼動が良いが、４円だと稼動が悪い）と判断できる。
【０１１８】
また図１５（ｂ）に示すように、導入時に貸与単価が４円と設定された機種については、所定期間（例えば１ヶ月）経過後に、当該機種をターゲット機種とした導入後遊技データを検討し（Ｓ２０１）、該ターゲット機種の稼動（即ち期間中平均アウト玉数）が表示条件合致機種の稼動よりも悪いか否かを判断する（Ｓ２０２）。このＳ２０２でターゲット機種の稼動が表示条件合致機種よりも良い（ＮＯ）と判断した場合には、該ターゲット機種を増台するか又はそのままの台数とするかを検討して（Ｓ２０３）、Ｓ２０１に戻る。一方、Ｓ２０２でターゲット機種の稼動が表示条件合致機種よりも悪い（ＹＥＳ）と判断した場合には、稼動の向上を狙って貸与単価を１円に変更するか否かを判断する（Ｓ２０４）。このＳ２０４で貸与単価を１円に変更しない（ＮＯ）と判断した場合には、該ターゲット機種を撤去して（Ｓ２０５）、処置を終了する。
【０１１９】
一方、Ｓ２０４で貸与単価を１円に変更する（ＹＥＳ）と判断し、貸与単価を１円に変更した場合には、所定期間（例えば１ヶ月）経過後に、当該機種を変更対象機種とした貸与単価変更後遊技データを検討し（Ｓ２１１）、該変更対象機種の稼動（即ち変更後遊技データ）が他機種の稼動（即ち平均遊技データ）よりも悪いか否かを判断する（Ｓ２１２）。このＳ２１２で変更対象機種の稼動が他機種の稼動よりも悪い（ＹＥＳ）と判断した場合には、該変更対象機種を撤去して（Ｓ２１３）、処置を終了する。
【０１２０】
具体的には、図１４（ａ）に示すように、１回目の変更履歴として４円から１円への変更が表示されているケース１がこの例に該当し、導入時に貸与単価が４円と設定された機種Ｓについて、稼動が悪かったので、稼動の向上を狙って、１回目の変更で貸与単価を４円から１円に変更したところ、該１回目の変更後における当該変更対象機種の変更後遊技データ（ここでは３８２）が他機種の平均遊技データ（ここでは４７５）よりも悪いので、当該機種Ｓについては、稼動の向上が見込めず、撤去すべきであると判断できる。つまり貸与単価変更の履歴を参照することにより、変更対象機種の取り扱い方を適切に検討することができる。
【０１２１】
一方、Ｓ２１２で変更対象機種の稼動が他機種の稼動よりも良い（ＮＯ）と判断した場合には、売上の向上を狙って貸与単価を４円に変更するか否かを判断する（Ｓ２１４）。このＳ２１４で貸与単価を４円に変更しない（ＮＯ）と判断した場合には、該変更対象機種を増台するか又はそのままの台数とするかを検討して（Ｓ２１５）、Ｓ２１１に戻る。
【０１２２】
一方、Ｓ２１４で貸与単価を４円に変更する（ＹＥＳ）と判断し、貸与単価を４円に変更した場合にも、Ｓ２１１に戻るが、さらに所定期間（例えば１ヶ月）経過後に該Ｓ２１１の検討を行い、Ｓ２１２でＹＥＳである場合には、当該変更対象機種については、４円よりも１円の方が貸与単価として適している（即ち１円ならば稼動が良いが、４円だと稼動が悪い）と判断できるので、貸与単価を再び１円に変更するか、あるいは売上の向上が見込めないので、前記Ｓ２１３と同様に撤去をする処置を行う。
【０１２３】
具体的には、図１４（ｂ）に示すように、１回目の変更履歴として４円から１円への変更が表示され、２回目の変更履歴として１円から４円への変更が表示されているケース２がこの例に該当し、導入時に貸与単価が４円と設定された機種Ｅについて、稼動が悪かったので、稼動の向上を狙って、１回目の変更で貸与単価を４円から１円に変更した後（Ｓ２０４）、稼動が向上したので、売上の向上を狙って、２回目の変更で貸与単価を１円から再度４円に変更したところ（Ｓ２１４でＹＥＳ）、該２回目の変更後における当該変更対象機種の変更後遊技データ（ここでは３８７）が他機種の平均遊技データ（ここでは４９８）よりも悪いので、当該機種Ｅについては、４円よりも１円の方が貸与単価として適していると判断できる。つまり貸与単価変更の履歴を参照することにより、変更対象機種の取り扱い方を適切に検討することができる。
【０１２４】
［２．本発明の変形例］
次に、本発明の変形例について説明する。
【０１２５】
上記の実施形態では、図１及び図２（ｂ）に示すように、カードユニット２０において、貨幣として紙幣を受け付けて入金処理が行われる例について説明したが、これに限らず、貨幣として紙幣及び／又は硬貨を受け付けて入金処理が行われるようにしても良い。また貨幣は、紙幣や硬貨のような実物以外にも、例えば電子マネーカードにより使用可能な電子マネー，クレジットカードにより使用可能な与信金額，デビットカードにより使用される預金残高等であっても良い。
【０１２６】
上記の実施形態では、プリペイドカード２が、ＩＣチップにより情報を記録するＩＣカードである例について説明したが、該プリペイドカード２は、接触式の集積回路，磁気ストライプ，二次元コード（例えばバーコード），三次元コード，又は光干渉（例えばホログラム）等により情報を記録するものでも良い。またプリペイドカード２の形状はカード型には限られず、コイン型であっても良い。
【０１２７】
上記の実施形態では、プリペイドカード２のＩＣチップにプリペイド残額が記録されていない例について説明したが、これに限らず、該プリペイドカード２のＩＣチップにプリペイド残額が記録されていても良く、この場合には、残額管理装置４０を設けないようにしても良い。
【０１２８】
上記の実施形態では、図１に示すように、遊技機がパチンコ機１０である例について説明したが、これに限らず、該遊技機は、例えば遊技媒体としてメダルを使用するスロットマシン，遊技媒体としてパチンコ玉を使用するスロットマシンであるパロット（登録商標），遊技媒体であるパチンコ玉が指触不能に封入された封入式のパチンコ機，パチンコ玉やメダルを用いることなく遊技媒体である得点データを使用して遊技可能なパチンコ機やスロットマシン，遊技領域やパチンコ玉が画像にて表示される画像式のパチンコ機，リールが画像にて表示される画像式のスロットマシン等であっても良い。
【０１２９】
上記の実施形態では、玉貸処理が行われた場合に、遊技用装置（カードユニット２０）と遊技機（パチンコ機１０）との間でパチンコ玉の貸与に関する信号のやり取りが行われて、該遊技機に設けられた玉払出装置１３からパチンコ玉が払い出されて貸与される例について説明したが、これに限らず、遊技用装置に設けられた図示しない玉払出装置からパチンコ玉が払い出されて貸与されるようにしても良い。
【０１３０】
上記の実施形態では、図３のＤ１１に示すように、導入台数の入力欄が設けられる例について説明したが、これに限らず、該導入台数の入力欄を設けずに、台番号の入力欄に入力された台番号から導入台数が特定されて、該特定された導入台数が設定されるようにしても良い。
【０１３１】
上記の実施形態では、図４に示すように、導入時期として、年末年始，ゴールデンウィーク，又はお盆を設定可能である例について説明したが、これに限らず、該導入時期として、導入された月（１月〜１２月のいずれか）や四季（春，夏，秋，又は冬のいずれか）を設定できるようにしても良い。また上記の実施形態では、図３のＤ１１に示すように、導入時期が、オペレータの選択により設定される例について説明したが、これに限らず、導入日と導入時期との対応関係を予め記憶しておき、導入日の入力欄に入力された導入日に対応する導入時期が自動的に設定されるようにしても良い。
【０１３２】
上記の実施形態では、図５に示すように、貸与単価を機種毎に設定・変更する例について説明したが、これに限らず、該貸与単価を遊技島毎又は遊技機毎に設定・変更するものであっても良い。即ち上記の実施形態の如く貸与単価を機種毎に設定・変更したり、本変形例の如く貸与単価を遊技島毎に設定・変更しても、結果的には各機種に属する遊技機や各遊技島に配置されている遊技機の各々について貸与単価を設定・変更していることになる。
【０１３３】
上記の実施形態では、図６に示すように、貸与単価が、１円と４円の２種類である例について説明したが、これに限らず、該貸与単価は、別の２種類（例えば２円と４円）であっても良く、また３種類以上であっても良い。
【０１３４】
上記の実施形態では、図６に示すように、貸与単価変更の履歴が２回まで管理される例について説明したが、これに限らず、該貸与単価変更の履歴が３回以上管理されるようにしても良い。
【０１３５】
上記の実施形態では、図１０及び図１３に示すように、現在から所定年数前まで設置されていた過去設置機種を抽出対象として設定可能である例について説明したが、これに限らず、例えば○年〜○年まで設置されていた過去設置機種を抽出対象として設定可能であるようにしても良い。
【０１３６】
上記の実施形態では、図１１に示す導入後遊技データ及び図１４に示す貸与単価変更後遊技データとして、アウト玉数が出力される例について説明したが、これに限らず、これら遊技データとして、セーフ玉数，スタート回数，又は売上金額が出力されるようにしても良い。即ち、これら出力される遊技データは、遊技機の稼動を示すデータであれば良い。
【０１３７】
上記の実施形態では、図１１に示す導入後遊技データ及び図１４に示す貸与単価変更後遊技データを出力する出力手段が、これら遊技データを表示するディスプレイ５３である例について説明したが、これに限らず、該出力手段は、これら遊技データを印刷して出力するプリンタや、これら遊技データを記録媒体に記録する記録手段や、これら遊技データを送信する送信手段等であっても良い。即ち出力手段は、これら遊技データを出力するものであれば良い。
【０１３８】
上記の実施形態では、図１１に示す導入後遊技データとして、遊技場に導入されてからの経過期間が０日で同一である遊技データ（即ち導入日からの遊技データ）が出力される例について説明したが、これに限らず、該経過期間が所定日数（例えば７日間）で同一である遊技データ（即ち導入日から７日間が経過した後の８日目以降の遊技データ）が出力されるものであっても良く、これによれば、一般的に遊技データが極めて良くなる導入日から所定日数の遊技データを除き、該遊技データが比較的安定する所定日数経過後の遊技データが出力されるので、該安定した遊技データに基づいて比較を行うことができる。この場合において、該所定日数経過後の遊技データとして、該所定日数経過後の遊技データ集計期間（図１０のＤ４１やＤ４２）分の遊技データを出力するものであっても良く、また該所定日数経過後の次の日の遊技データを出力するものであっても良い。
【０１３９】
上記の実施形態において、「遊技場に導入されてからの経過期間」とは、遊技機が遊技場に導入されて遊技島に配置され実際に稼動を開始する日である導入日（つまり図３のＤ１１で入力された導入日）を基準とする経過期間であり、該導入日を導入情報ＤＢで設定した日を基準とする経過期間ではない。即ち実際の導入日が１２月１日である場合において、該導入日を１１月２９日や１２月３日に導入情報ＤＢで設定したとしても、実際の導入日が経過期間の基準とされる。なお実際の導入日（例えば１２月１日）を経過期間の基準とするのではなく、導入情報ＤＢにおける設定日を経過期間の基準としても良い。ただし、この場合において、実際の導入日の営業前に導入情報ＤＢを設定すれば問題ないが、実際の導入日よりも事後的（例えば１２月３日）に導入情報ＤＢを設定すると、実際の導入日から事後的な設定日の前日まで（ここでは１２月１日及び２日）の遊技データが導入後遊技データからは除かれることになるので、実際の導入日を基準とするのが好ましい。
【０１４０】
上記の実施形態では、図１１に示す導入後遊技データ（即ち複数機種の遊技データ）として、各機種に属する全遊技機の遊技データ（アウト玉数）の合算値を各機種の台数で除算した平均アウト玉数が出力される例について説明したが、これに限らず、各機種に属する全遊技機の遊技データを平均せずにそのまま出力するものであっても良い。
【０１４１】
上記の実施形態では、図１１に示す導入後遊技データとして、第１期間，第２期間，及び第３期間の３つの所定期間毎に集計された遊技データ（アウト玉数）が出力される例について説明したが、これに限らず、該所定期間の数は、２つであっても良く、また４つ以上であっても良い。
【０１４２】
上記の実施形態では、図１１に示す導入後遊技データとして、所定期間（ここでは第１期間，第２期間，及び第３期間）毎に集計された遊技データ（アウト玉数）が出力される例について説明したが、これに限らず、最初の所定期間のみの遊技データが出力されるものであっても良い。
【０１４３】
上記の実施形態では、図１１に示す導入後遊技データとして、所定期間分のアウト玉数を平均した期間中平均アウト玉数が出力される例について説明したが、これに限らず、該所定期間分の各日毎のアウト玉数が出力されるようにしても良い。
【０１４４】
上記の実施形態では、図１１に示す導入後遊技データとして、第２期間における減少率と、第３期間における減少率とが、算出及び出力される例について説明したが、これに限らず、前者のみ又は後者のみが算出及び出力されるようにしても良い。即ち遊技データ比率算出手段は、最初の所定期間（第１期間）における遊技データに対する、当該最初の所定期間以外の所定期間（第２期間，又は第３期間）における遊技データの比率を算出するものであれば良い。
【０１４５】
上記の実施形態では、図１４に示す貸与単価変更後遊技データとして、変更対象機種の貸与単価変更からの経過期間と他の機種の貸与単価が変更対象機種と同一の貸与単価になってからの経過期間とが０日で同一である変更後遊技データと平均遊技データ（即ち変更対象機種について貸与単価の変更日からの変更後遊技データと、他の機種について当該貸与単価になった日からの平均遊技データ）が出力される例について説明したが、これに限らず、該経過期間が所定日数（例えば７日間）で同一である遊技データ（即ち変更対象機種について貸与単価の変更日から７日間が経過した後の８日目以降の変更後遊技データと、他の機種について当該貸与単価になった日から７日間が経過した後の８日目以降の平均遊技データ）が出力されるものであっても良く、これによれば、一般的に遊技データが変動が大きくなる貸与単価変更日から所定日数の遊技データを除き、該遊技データが比較的安定する所定日数経過後の遊技データが出力されるので、該安定した遊技データに基づいて比較を行うことができる。
【０１４６】
上記の実施形態において、「貸与単価変更前の変更前遊技データ」及び「貸与単価変更後の変更後遊技データ」とは、実際に貸与単価が変更される変更日（つまり図５のＤ２４で入力された変更日）を基準とする遊技データであり、該変更日を貸与単価ＤＢで設定した日を基準とする遊技データではない。即ち実際の変更日が１２月１日である場合において、該変更日を１１月２９日や１２月３日に貸与単価ＤＢで設定したとしても、変更前遊技データは実際の変更日の前日よりも前の遊技データであり、変更後遊技データは実際の変更日よりも後の遊技データである。なお実際の変更日（例えば１２月１日）を基準とするのではなく、貸与単価ＤＢにおける事後的な設定日を基準としても良い。ただし、この場合において、実際の変更日の営業前に貸与単価ＤＢを設定すれば問題ないが、実際の変更日よりも事後的（例えば１２月３日）に貸与単価ＤＢを設定すると、実際の変更日から事後的な設定日の前日まで（ここでは１２月１日及び２日）の遊技データが、変更前遊技データに含まれる一方、変更後遊技データからは除かれることになるので、実際の変更日を基準とするのが好ましい。
【０１４７】
上記の実施形態において、「変更対象遊技機の貸与単価変更からの経過期間」及び「他の遊技機の貸与単価が該変更対象遊技機と同一の貸与単価になってからの経過期間」とは、前者においては実際に貸与単価が変更される変更日（つまり図５のＤ２４で入力された変更日）を基準する経過期間，後者においては実際に当該同一の貸与単価で稼動を開始する日である導入日又は変更日（つまり図５のＤ２２で表示された導入日又はＤ２４で入力された変更日）を基準とする経過期間であり、これら変更日や導入日を貸与単価ＤＢで設定した日を基準とする経過期間ではない。即ち実際の変更日や導入日が１２月１日である場合において、該変更日や導入日を１１月２９日や１２月３日に貸与単価ＤＢで設定したとしても、実際の変更日や導入日が経過期間の基準とされる。なお実際の変更日や導入日（例えば１２月１日）を経過期間の基準とするのではなく、貸与単価ＤＢにおける事後的な設定日（例えば１２月３日）を経過期間の基準としても良い。ただし、この場合において、実際の変更日や導入日の営業前に貸与単価ＤＢを設定すれば問題ないが、実際の変更日や導入日よりも事後的（例えば１２月３日）に貸与単価ＤＢを設定すると、実際の変更日や導入日から事後的な設定日の前日まで（ここでは１２月１日及び２日）の遊技データが、変更前遊技データに含まれる一方、変更後遊技データ及び平均遊技データからは除かれることになるので、実際の変更日や導入日を基準とするのが好ましい。
【０１４８】
上記の実施形態では、図１４に示す貸与単価変更後遊技データとして、図１３のＤ５１で設定された遊技データ集計期間分の変更後遊技データ及び平均遊技データが出力される例について説明したが、これに限らず、図１１に示す導入後遊技データと同様に、前記遊技データ集計期間毎に（つまり第１期間，第２期間，及び第３期間の各々について）集計された変更後遊技データ及び平均遊技データが出力されるようにしても良い。
【０１４９】
上記の実施形態では、図１４に示す貸与単価変更後遊技データとして、所定期間分のアウト玉数を平均した期間中平均アウト玉数が出力される例について説明したが、これに限らず、該所定期間分の各日毎のアウト玉数が出力されるようにしても良い。
【０１５０】
上記の実施形態では、図１４に示すように、変更前遊技データとして、変更後遊技データ及び平均遊技データと同一の所定期間分の貸与単価変更前の遊技データを平均した変更前遊技データが出力される例について説明したが、これに限らず、変更後遊技データ及び平均遊技データとは異なる期間分の貸与単価変更前の遊技データを平均した変更前遊技データが出力されるようにしても良い。例えば変更前遊技データとして、貸与単価変更前の全期間の遊技データを平均した変更前遊技データが出力されるようにしても良い。
【０１５１】
上記の実施形態では、図１４に示すように、変更対象機種を除いた他の機種の遊技データを平均した平均遊技データが出力される例について説明したが、これに限らず、該他の機種の遊技データに変更対象機種の遊技データも含めて平均した平均遊技データが出力されるようにしても良い。即ち平均遊技データは、少なくとも変更対象機種と同一の貸与単価が設定されている他の機種の遊技データを平均したものであれば良い。
【０１５２】
［３．実施形態に記載した発明］
最後に、上記の実施形態に記載した発明に対応する「従来技術」，「発明が解決しようとする課題」，及び「発明の効果」を説明する。
【０１５３】
［３−１．第１の発明］
まず、従来技術１として、特開２００５−２２４４２４号公報（図７、請求項１）を示す。この従来技術１には、遊技場に設置されている各遊技機の遊技データを管理し、該遊技データを、各遊技機が遊技場に導入された日から所定期間経過した時点で機種毎に集計し、該集計した集計データのうち、各遊技機が遊技場に導入された日から同じ期間経過した時点の集計データを各機種間で比較可能に出力する管理装置が記載されている。これによれば、集計データが、遊技機が遊技場に導入された日を揃えて所定期間を単位として各機種間で比較可能に出力されるので、あたかも新機種が同時に導入されたのと同じ条件で比較することができる。
【０１５４】
しかしながら、遊技場に導入する機種によって、該導入に関わる状況（例えば導入台数や導入シーズン等）は様々であり、上記従来技術１に示す管理装置は、該導入に関わる状況を加味せずに、集計データを各機種間で比較可能に出力するため、該集計データを適切に比較することができないという第１の問題があった。
【０１５５】
そこで、上記の実施形態に記載した第１の発明では、前記第１の問題を解決するために、遊技場に設置されている遊技機（パチンコ機１０）での遊技に関わる遊技データ（アウト玉数）を管理する遊技データ管理手段（遊技情報ＤＢ）と、該遊技データ管理手段で管理している遊技データに基づき、遊技場に導入されてからの経過期間が同一の期間における複数機種の遊技データ（複数機種の各導入日からの遊技データ）を、当該複数の機種間で比較可能に出力する出力手段（ディスプレイ５３）と、を有する管理装置（ホールコンピュータ５０）であって、各機種毎に、各機種の導入に関わる導入データ（導入台数，スペック，メーカ，導入時期）を管理する導入データ管理手段（導入情報ＤＢ）と、該導入データ管理手段で管理している導入データが同一及び／又は近似している機種を抽出する抽出手段（制御部５２）と、をさらに有し、前記出力手段は、前記同一の期間における遊技データを、前記抽出手段により抽出された機種について比較可能に出力することを特徴とする管理装置を構成した。これによれば、各機種の導入に関わる導入データが同一及び／又は近似している機種について、遊技場に導入されてからの経過期間が同一の期間における遊技データが比較可能に出力されるので、該遊技データを適切に比較することができる。
【０１５６】
また前記第１の発明において、前記導入データ管理手段（導入情報ＤＢ）は、前記導入データとして、各機種の導入台数を管理し、前記抽出手段（制御部５２）は、該導入データ管理手段で管理している導入台数が同一及び／又は近似している機種を抽出することを特徴とする管理装置（ホールコンピュータ５０）としても良い。これによれば、各機種の導入台数が同一及び／又は近似している機種について、前記同一の期間における遊技データが比較可能に出力されるので、該遊技データを比較して、新たな遊技機を導入する際の導入台数の参考とすることができる。
【０１５７】
また前記第１の発明において、前記導入データ管理手段（導入情報ＤＢ）は、前記導入データとして、各機種の導入時期を管理し、前記抽出手段（制御部５２）は、該導入データ管理手段で管理している導入時期が同一である機種を抽出することを特徴とする管理装置（ホールコンピュータ５０）としても良い。これによれば、各機種の導入時期が同一である機種について、前記同一の期間における遊技データが比較可能に出力されるので、該遊技データを比較して、新たな遊技機を導入する際の導入時期の参考とすることができる。
【０１５８】
また前記第１の発明において、遊技場で開催されるイベントについて、該イベントが開催されるイベント期間を設定するイベント期間設定手段（ディスプレイ５３及び入力装置５４）と、前記同一の期間における遊技データ（導入日からの遊技データ）からイベント期間中における遊技データを除外するイベントを設定する除外イベント設定手段（ディスプレイ５３及び入力装置５４）と、をさらに有し、前記出力手段（ディスプレイ５３）は、該除外イベント設定手段により設定されたイベントのイベント期間中における遊技データを除外して、前記同一の期間における遊技データを出力することを特徴とする管理装置（ホールコンピュータ５０）としても良い。これによれば、除外イベントのイベント期間中における遊技データを除外して、前記同一の期間における遊技データが比較可能に出力されるので、イベントの影響を受けていない遊技データに基づいて、より適切な比較を行うことができる。
【０１５９】
また前記第１の発明において、各機種毎に、遊技場に現在設置されている現在設置機種であるか、あるいは過去に設置されていた過去設置機種であるかを管理する設置状況管理手段（導入情報ＤＢ）と、前記抽出手段（制御部５２）による抽出対象を、前記現在設置機種のみとするか、あるいは前記現在設置機種及び前記過去設置機種とするかを設定する抽出対象設定手段（ディスプレイ５３及び入力装置５４）と、をさらに有し、前記抽出手段は、該抽出対象設定手段により設定された抽出対象から前記抽出を行うことを特徴とする管理装置（ホールコンピュータ５０）としても良い。これによれば、前記同一の期間における遊技データを出力する機種として、現在設置機種のみを抽出対象とするか、あるいは現在設置機種及び過去設置機種を抽出対象とするかを設定することができるので、遊技場側の意向に添った比較を行うことができる。
【０１６０】
また前記第１の発明において、前記設置状況管理手段（導入情報ＤＢ）は、前記過去設置機種が設置されていた設置期間（導入日及び撤去日）を管理し、前記抽出対象設定手段（ディスプレイ５３及び入力装置５４）は、抽出対象とする過去設置機種の設置期間を設定し、前記抽出手段（制御部５２）は、該抽出対象設定手段により設定された設置期間に設置されていた過去設置機種から前記抽出を行うことを特徴とする管理装置（ホールコンピュータ５０）としても良い。これによれば、抽出対象とする過去設置機種の設置期間を設定することができるので、より遊技場側の意向に添った比較を行うことができる。
【０１６１】
さらに前記第１の発明において、各機種について、遊技場に導入されてから所定期間毎の遊技データを集計する遊技データ集計手段（制御部５２）と、遊技場に導入されてから最初の所定期間における遊技データに対する、当該最初の所定期間以外の所定期間における遊技データの比率を算出する遊技データ比率算出手段（制御部５２）と、をさらに有し、前記出力手段（ディスプレイ５３）は、該遊技データ比率算出手段により算出された比率が遊技データの低下を示す機種について、当該比率を比較可能に出力することを特徴とする管理装置（ホールコンピュータ５０）としても良い。これによれば、最初の所定期間における遊技データに対する、当該最初の所定期間以外の所定期間における遊技データの比率が、該遊技データの低下を示す機種について、当該比率が比較可能に出力されるので、遊技機の入替等の参考とすることができる。
【０１６２】
［３−２．第２の発明］
また、従来技術２として、特開平１１−１０４３３１号公報（図１６，図１７、請求項１，２）を示す。この従来技術２には、通路を挟んで対面する遊技機を一単位とするコース毎、あるいは１つの遊技島に設置される遊技機を一単位とする遊技島毎に、遊技機での遊技に使用される遊技媒体の貸与単価を設定可能な管理装置が記載されている。
【０１６３】
このように遊技媒体の貸与単価を設定した後に、該設定した貸与単価の遊技機における遊技データに基づいて、貸与単価の変更を行う場合があるが、上記従来技術２に示す管理装置では、貸与単価の変更による遊技データの変化を把握することができないと共に、貸与単価変更後の遊技データの良し悪しを把握することができないという第２の問題があった。
【０１６４】
そこで、上記の実施形態に記載した第２の発明では、前記第２の問題を解決するために、遊技場に設置されている遊技機（パチンコ機１０）での遊技に関わる遊技データ（アウト玉数）を管理する遊技データ管理手段（遊技情報ＤＢ）と、遊技機での遊技に使用される遊技媒体（パチンコ玉）の貸与単価を各遊技機について設定変更する貸与単価設定変更手段（ディスプレイ５３及び入力装置５４）と、該貸与単価設定変更手段により貸与単価が変更されたことに基づいて、該変更が行われた変更対象遊技機の貸与単価変更前の変更前遊技データ及び貸与単価変更後の変更後遊技データと、少なくとも前記変更対象遊技機と同一の貸与単価が設定されている他の遊技機の遊技データを平均した平均遊技データとを比較可能に出力する出力手段（ディスプレイ５３）と、を有することを特徴とする管理装置（ホールコンピュータ５０）を構成した。これによれば、貸与単価の変更が行われた変更対象遊技機の貸与単価変更前の変更前遊技データと貸与単価変更後の変更後遊技データとが比較可能に出力されるので、貸与単価の変更による変更対象遊技機の遊技データの変化を把握することができると共に、少なくとも変更対象遊技機と同一の貸与単価が設定されている他の遊技機の遊技データを平均した平均遊技データも比較可能に出力されるので、変更対象遊技機の変更後遊技データの良し悪しを他の遊技機との比較で把握することができる。
【０１６５】
また前記第２の発明において、前記出力手段（ディスプレイ５３）は、前記変更対象遊技機の貸与単価変更からの経過期間と前記他の遊技機の貸与単価が該変更対象遊技機と同一の貸与単価になってからの経過期間とが同一の期間における、前記変更後遊技データと前記平均遊技データとを比較可能に出力することを特徴とする管理装置（ホールコンピュータ５０）としても良い。これによれば、変更対象遊技機の貸与単価変更からの経過期間と他の遊技機の貸与単価が該変更対象遊技機と同一の貸与単価になってからの経過期間とが同一の期間における変更後遊技データと平均遊技データとが比較可能に出力されることにより、変更対象遊技機の変更後遊技データと他の遊技機の平均遊技データとを、あたかも貸与単価が同時に同一になったようにして比較することができるので、適切な比較を行うことができる。
【０１６６】
また前記第２の発明において、各遊技機（パチンコ機１０）毎に、遊技機に関わる遊技機データ（スペック，メーカ，台数）を管理する遊技機データ管理手段（導入情報ＤＢ及び単価情報ＤＢ）と、前記変更対象遊技機と同一の貸与単価が設定されており、かつ該変更対象遊技機と遊技機データが同一及び／又は近似している遊技機を抽出する抽出手段（制御部５２）と、をさらに有し、前記出力手段（ディスプレイ５３）は、該抽出手段により抽出された遊技機の遊技データを平均した前記平均遊技データを出力することを特徴とする管理装置（ホールコンピュータ５０）としても良い。これによれば、変更対象遊技機と遊技機データが同一及び／又は近似している遊技機の遊技データを平均した平均遊技データが出力されるので、より適切に変更対象遊技機の変更後遊技データの良し悪しを把握することができる。
【０１６７】
また前記第２の発明において、各遊技機（パチンコ機１０）毎に、遊技場に現在設置されている現在設置遊技機であるか、あるいは過去に設置されていた過去設置遊技機であるかを管理する設置状況管理手段（導入情報ＤＢ）と、前記抽出手段（制御部５２）による抽出対象を、前記現在設置遊技機のみとするか、あるいは前記現在設置遊技機及び前記過去設置遊技機とするかを設定する抽出対象設定手段（ディスプレイ５３及び入力装置５４）と、をさらに有し、前記抽出手段は、該抽出対象設定手段により設定された抽出対象から前記抽出を行うことを特徴とする管理装置（ホールコンピュータ５０）としても良い。これによれば、平均遊技データを出力する遊技機として、現在設置遊技機のみを抽出対象とするか、あるいは現在設置遊技機及び過去設置遊技機を抽出対象とするかを設定することができるので、遊技場側の意向に添った比較を行うことができる。
【０１６８】
また前記第２の発明において、前記設置状況管理手段（導入情報ＤＢ）は、前記過去設置遊技機が設置されていた設置期間（導入日及び撤去日）を管理し、前記抽出対象設定手段（ディスプレイ５３及び入力装置５４）は、抽出対象とする過去設置遊技機の設置期間を設定し、前記抽出手段は、該抽出対象設定手段により設定された設置期間に設置されていた過去設置遊技機から前記抽出を行うことを特徴とする管理装置（ホールコンピュータ５０）としても良い。これによれば、抽出対象とする過去設置遊技機の設置期間を設定することができるので、より遊技場側の意向に添った比較を行うことができる。
【０１６９】
また前記第２の発明において、遊技場で開催されるイベントについて、該イベントが開催されるイベント期間を設定するイベント期間設定手段（ディスプレイ５３及び入力装置５４）と、前記変更前遊技データ，前記変更後遊技データ，及び前記平均遊技データからイベント期間中における遊技データを除外するイベントを設定する除外イベント設定手段（ディスプレイ５３及び入力装置５４）と、をさらに有し、前記出力手段（ディスプレイ５３）は、該除外イベント設定手段により設定されたイベントのイベント期間中における遊技データを除外して、前記変更前遊技データ，前記変更後遊技データ，及び前記平均遊技データを出力することを特徴とする管理装置（ホールコンピュータ５０）としても良い。これによれば、除外イベントのイベント期間中における遊技データを除外して、変更前遊技データ，変更後遊技データ，及び平均遊技データが比較可能に出力されるので、イベントの影響を受けていない遊技データに基づいて、より適切な比較を行うことができる。
【０１７０】
さらに前記第２の発明において、各遊技機（パチンコ機１０）の貸与単価変更の履歴を管理する変更履歴管理手段（単価情報ＤＢ）をさらに有し、前記出力手段（ディスプレイ５３）は、該変更履歴管理手段で管理している前記変更対象遊技機の貸与単価変更の履歴と共に、前記変更前遊技データ，前記変更後遊技データ，及び前記平均遊技データを出力することを特徴とする管理装置（ホールコンピュータ５０）としても良い。これによれば、変更対象遊技機の貸与単価変更の履歴と共に、変更前遊技データ，変更後遊技データ，及び平均遊技データが出力されるので、変更対象遊技機の取り扱い方を適切に検討することができる。
【符号の説明】
【０１７１】
１…遊技用システム
１０…パチンコ機
２０…カードユニット
５０…ホールコンピュータ
５１…通信部
５２…制御部
５３…ディスプレイ
５４…入力装置
５５…ハードディスク
【図１】
0005524390.tif 000002
【図２】
0005524390.tif 000003
【図３】
0005524390.tif 000004
【図４】
0005524390.tif 000005
【図５】
0005524390.tif 000006
【図６】
0005524390.tif 000007
【図７】
0005524390.tif 000008
【図８】
0005524390.tif 000009
【図９】
0005524390.tif 000010
【図１０】
0005524390.tif 000011
【図１１】
0005524390.tif 000012
【図１２】
0005524390.tif 000013
【図１３】
0005524390.tif 000014
【図１４】
0005524390.tif 000015
【図１５】
0005524390.tif 000016